(57)【要約】      （修正有）【課題】表示部と、写真に応じた情報を表示部に表示させる制御部とを備える表示装置を提供する。【解決手段】表示装置は、表示部と、写真に応じた情報を表示部に表示させる制御部とを備え，制御部は，表示部に表示する情報を書き込む第１の制御と、書き込んだ情報を保持する第２の制御とのうち、第１の制御を行う場合に表示部に電力を供給する供給部と、供給部により表示部に電力を供給している期間、保持部により表示部が保持されている状態を維持する。【選択図】図１
2014038126.tif 000002
【特許請求の範囲】
【請求項１】
表示部と、
写真に応じた情報を前記表示部に表示させる制御部と
を備えることを特徴とする表示装置。
【請求項２】
表示部と、
収納した前記表示部に、記憶部が記憶する情報を供給する収納部と、
前記記憶部に記憶されている前記情報に応じて前記表示部の表示を制御する制御部と
を備えることを特徴とする表示システム。
【請求項３】
表示部を保持する保持部と、
前記表示部に表示する情報を書き込む第１の制御と、前記書き込んだ情報を保持する第２の制御とのうち、前記第１の制御を行う場合に前記表示部に電力を供給する供給部と、
前記供給部により前記表示部に電力を供給している期間、前記保持部により前記表示部が保持されている状態を維持する制御部と
を備える表示制御装置。
【請求項４】
所定の物品を収納可能とする開口部が設けられた容器本体部と、
前記容器本体部の開口部を塞ぐ容器蓋部と、
情報を表示する表示部と、
前記容器本体部に収納された物品を検出する第１検出部と、
前記容器蓋部の開閉状態を検出する第２検出部と、
前記検出された物品と前記検出された容器蓋部の開閉状態とに応じて前記表示部の表示を制御する制御部と
を備えることを特徴とする収納容器。
【請求項５】
少なくとも容器の一部が内壁と外壁とからなる二重構造を有する容器本体部と、
前記二重構造における前記内壁と前記外壁との間に設けられ、前記内壁側と前記外壁側とのうち少なくとも何れかの側に情報を表示する表示部と、
前記容器本体部の外部から供給される情報に基づいて、前記表示部の表示を制御する制御部と
を備えることを特徴とする飲料用容器。
【発明の詳細な説明】
【技術分野】
【０００１】
本発明は、表示装置、表示システム、表示制御装置、収納容器、及び、飲料用容器に関する。
【背景技術】
【０００２】
表示装置には、「デジタル・フォトフレーム」などのようにデジタル化された画像情報を表示するものがある（例えば、特許文献１参照）。
【先行技術文献】
【特許文献】
【０００３】
【特許文献１】特開２０１０−３３１３５号公報
【発明の概要】
【発明が解決しようとする課題】
【０００４】
しかしながら、特許文献１に示されている表示装置より、利便性を向上させることができる表示装置が望まれている。
本発明は上記問題を解決すべくなされたものであり、その目的は、利便性を向上させることができる表示装置、表示システム、表示制御装置、収納容器、及び、飲料用容器を提供することにある。
【課題を解決するための手段】
【０００５】
この発明は上述した課題を解決するためになされたもので、本発明は、表示部と、写真に応じた情報を前記表示部に表示させる制御部とを備えることを特徴とする表示装置である。
【０００６】
また、本発明は、表示部と、収納した前記表示部に、記憶部が記憶する情報を供給する収納部と、前記記憶部に記憶されている前記情報に応じて前記表示部の表示を制御する制御部とを備えることを特徴とする表示システムである。
【０００７】
また、本発明は、表示部を保持する保持部と、前記表示部に表示する情報を書き込む第１の制御と、前記書き込んだ情報を保持する第２の制御とのうち、前記第１の制御を行う場合に前記表示部に電力を供給する供給部と、前記供給部により前記表示部に電力を供給している期間、前記保持部により前記表示部が保持されている状態を維持する制御部とを備える表示制御装置である。
【０００８】
また、本発明は、所定の物品を収納可能な開口部が設けられた容器本体部と、前記容器本体部の開口部を塞ぐ容器蓋部と、情報を表示する表示部と、前記容器本体部に収納された物品を検出する第１検出部と、前記容器蓋部の開閉状態を検出する第２検出部と、前記検出された物品と前記検出された容器蓋部の開閉状態とに応じて前記表示部の表示を制御する制御部とを備えることを特徴とする収納容器である。
【０００９】
また、本発明は、少なくとも容器の一部が内壁と外壁からなる二重構造を有する容器本体部と、前記二重構造における前記内壁と前記外壁との間に設けられ、前記内壁側と前記外壁側とのうち少なくとも何れかの側に情報を表示する表示部と、前記容器本体部の外部から供給される情報に基づいて、前記表示部の表示を制御する制御部とを備えることを特徴とする飲料用容器である。
【発明の効果】
【００１０】
この発明によれば、デジタル化された画像情報を表示して利便性を高める表示装置、表示システム、表示制御装置、収納容器、及び、飲料用容器を提供することができる。
【図面の簡単な説明】
【００１１】
【図１】第１実施形態における表示装置の一態様を示す図である。
【図２】本実施形態における表示装置の構成の一態様を示す図である。
【図３】本実施形態における表示装置の処理の一態様を示すフローチャートである。
【図４】本実施形態における表示装置の一態様を示す図である。
【図５】本実施形態における表示装置の構成の一態様を示す図である。
【図６】本実施形態における表示装置の処理の一態様を示すフローチャートである。
【図７】本実施形態における表示システムの一態様を示す図である。
【図８】本実施形態における表示システムの構成の一態様を示す図である。
【図９】本実施形態における表示システムの一態様を示す図である。
【図１０】本実施形態における表示システムの構成の一態様を示す図である。
【図１１】本実施形態における表示システムの一態様を示す図である。
【図１２】本実施形態における表示システムの構成の一態様を示す図である。
【図１３】本実施形態における表示システムの構成の一態様を示す図である。
【図１４】第２実施形態における表示部及びベース部の第１態様を示す図である。
【図１５】本実施形態における表示部及びベース部の第２態様を示す図である。
【図１６】本実施形態における複数の表示部をベース部に接続する態様を示す図である。
【図１７】本実施形態における第１態様の表示部に応じたベース部の第３態様を示す図である。
【図１８】本実施形における表示部及びベース部の構成の一態様を示す図である。
【図１９】本実施形態における情報伝達管理システムを示す図である。
【図２０】第３実施形態における収納容器の構成の一態様を示す図である。
【図２１】本実施形態における収納容器の表示方法を示す図である。
【図２２】第４実施形態における飲料用容器の構成の一態様を示す図である。
【図２３】本実施形態における飲料用容器４１００における画像の表示方法を示す図である。
【図２４】本実施形態における飲料用容器の形状に応じた画像の生成を示す図である。
【図２５】本実施形態における飲料用容器４１００における情報交換方法を示す図である。
【図２６】本実施形態における具体的な処理の一例を示すフローチャートである。
【発明を実施するための形態】
【００１２】
以下、本発明の一実施形態について、図面を参照して説明する。
【００１３】
［第１実施形態］
以下、本発明の一実施形態について、図面を参照して説明する。以下の説明において、同様の構成要素については、同じ符号を付してその説明を簡略化或いは省略することがある。
【００１４】
（第１実施形態における一態様：見開き型の表示装置）
【００１５】
図１を参照し、本実施形態における見開き型の表示装置について説明する。
図１は、本実施形態における表示装置の一態様を示す図である。この図１に示される見開き型の表示装置１１００Ａは、収納時に折りたたみ、情報を閲覧可能とする場合に、筐体を展開する見開き型の筐体を備える。例えば、表示装置１１００Ａの筐体は、筐体の長手方向の中央部において開閉するように形成されている。要するに、表示装置１１００Ａは、表示を閲覧する場合に筐体を開いて利用される。
【００１６】
表示装置１１００Ａは、２つに折りたたんで収納した場合に互いに対向する面のうち一方の面に設けられている表示部１１１０に情報を表示する。また、互いに対向する面のうち他方の面には、写真配置部１１２０が設けられている。表示装置１１００Ａは、写真配置部１１２０に配置された写真（Ｐｈ１）に関連付けられる情報を表示部１１１０に表示する。例えば、表示部１１１０に表示する情報は、写真（Ｐｈ１）に関連付けられる複数の画像情報とする。表示装置１１００Ａは、表示部１１１０に表示する画像情報を、あたかも写真集のように可視化した画像情報として表示することができる。
【００１７】
なお、本実施形態の説明における「写真」とは、画像が可視化されたものである。例えば、「写真」は、画像が紙などの媒体に焼き付けられたり、印刷されたりしたものである。なお、「写真」は、これに限らず、電子ペーパーなどの表示手段に表示されたものであってもよい。なお、「写真」とされる画像には、銀塩カメラやデジタルカメラなどのカメラによって撮影された画像、カメラによって撮影された画像から複製された画像、デジタルカメラなどの撮像装置によって撮影された画像情報に基づいた画像（即ち、画像処理や加工された画像）などがある。
【００１８】
表示装置１１００Ａは、写真配置部１１２０における所定の位置に写真Ｐｈ１が配置（セット）されたことを検出するとともに、表示部１１１０に表示する。
【００１９】
図２を参照して、表示装置１１００Ａについて、より具体的な構成の一例を挙げて説明する。
図２は、本実施形態における表示装置の構成の一態様を示す図である。この図２に示される見開き型の表示装置１１００Ａは、表示部１１１０と、写真配置部１１２０と、検出部１１２０Ａと、記憶部１１３０と、インタフェース部１１４０と、制御部１１５０とを備える。
【００２０】
表示部１１１０は、例えば電子ペーパーを表示手段として有する。以下の説明において、表示部１１１０が有する電子ペーパーを、電気泳動型の表示装置（ＥＰＤ（ElectroPhoretic Display））１１０１Ｂを例にして説明する。なお、表示手段は、表示領域がメモリー性を有するものや、不揮発性の情報として保持するものであってもよい。このようなＥＰＤ１１０１Ｂは、表示領域に情報が書き込まれる期間に電力を消費するが、表示領域に保持した情報を表示した状態を維持する期間には電力の消費を不要とする。
【００２１】
写真配置部１１２０には、写真Ｐｈ１を配置する場所が定められており、配置する位置にセットされた写真Ｐｈ１を保持する保持機構ＰＨＬＤが設けられている。写真配置部１１２０の保持機構ＰＨＬＤは、セットされた写真Ｐｈ１を保持する。
写真配置部１１２０には、検出部１１２０Ａが設けられている。検出部１１２０Ａは、写真配置部１１２０に配置された写真Ｐｈ１を検出して、検出した写真Ｐｈ１に応じた識別情報を生成する。例えば、写真Ｐｈ１には、写真の表面又は裏面に印刷されたバーコードやＱＲコード（登録商標）などによって示される情報や、画像中に埋め込まれた情報などを付与する。検出部１１２０Ａは、写真Ｐｈ１に付与された情報に基づいて、写真Ｐｈ１に応じた識別情報を生成する。
【００２２】
記憶部１１３０には、識別情報と関連付けられて情報が予め記憶されている。
【００２３】
インタフェース（Ｉ／Ｆ）部１１４０は、自装置以外の他の装置と通信する通信処理を行う。インタフェース（Ｉ／Ｆ）部１１４０が行う通信は、有線通信であっても無線通信であってもよい。
【００２４】
制御部１１５０Ａは、記憶部１１３０が記憶する情報と、検出された写真Ｐｈ１に関連する情報とに基づいて表示部１１１０の表示を制御する。制御部１１５０Ａは、写真配置部１１２０に配置された写真Ｐｈ１が検出されると、検出された写真Ｐｈ１に関連する情報を記憶部１１３０が記憶する情報から抽出する。制御部１１５０Ａは、抽出した写真Ｐｈ１に関連する情報をＥＰＤ１１０１Ｂに表示する。なお、制御部１１５０Ａは、検出部１１２０Ａによって生成された識別情報、要するに配置された写真Ｐｈ１の識別情報に基づいて、配置された写真Ｐｈ１に関連する情報を記憶部１１３０が記憶する情報から抽出する。
【００２５】
図３を参照して、本実施形態における表示装置の処理を説明する。
図３は、本実施形態における表示装置の処理の一態様を示すフローチャートである。
制御部１１５０Ａは、電源供給状態を検出する（ステップＳａ１０）。検出部１１２０Ａは、写真Ｐｈ１を検出する（ステップＳａ２０）。検出部１１２０Ａは、検出した写真Ｐｈ１に応じた識別情報を生成する（ステップＳａ３０）。制御部１１５０Ａは、表示部１１１０に書き込む情報を、記憶部１１３０に記憶されている情報から、生成された識別情報に基づいて抽出する（ステップＳａ４０）。制御部１１５０Ａは、表示部１１１０に表示させる情報をＥＰＤ１１０１Ｂに書き込む（ステップＳａ５０）。制御部１１５０Ａは、表示装置１１００Ａを休止状態に移行させる（ステップＳａ６０）。
【００２６】
このように、表示装置１１００Ａは、写真配置部１１２０において予め定められている場所に配置された写真Ｐｈ１に応じて、配置された写真Ｐｈ１に関連する情報を表示部１１１０（ＥＰＤ１１０１Ｂ）に表示することができる。また、表示装置１１００Ａに配置した写真Ｐｈ１に応じて、表示装置１１００Ａは表示部１１１０に表示する情報を替えることができる。
【００２７】
なお、検出部１１２０Ａは、所定の位置に写真Ｐｈ１が配置（セット）されたことを、配置（セット）された写真Ｐｈ１の有無に基づいて検出してもよい。或は、検出部１１２０Ａは、所定の位置に写真Ｐｈ１がセットされたことを、セットされた写真Ｐｈ１の有無の検出に限らず、写真Ｐｈ１に応じた識別情報に基づいて検出したり、写真Ｐｈ１に表されている画像の検出に基づいて検出したりしてもよい。
上記の説明において、写真配置部１１２０の位置を、２つに折りたたんで収納した筐体の内側となる面に設けるものとして説明したが、例えば、写真配置部１１２０の位置を筐体の外側の面に定めてもよい。
【００２８】
（見開き型の表示装置の利用形態）
このような見開き型の表示装置１１００Ａは、バインダーや本のように利用できる。例えば、表示装置１１００Ａを写真集（アルバム）とする場合、ＥＰＤ１１０１Ｂによって構成されているページに画像を表示してもよい。
【００２９】
本実施形態によれば、例えば次のような効果を奏する。
例えば１例として、ユーザＡがユーザＢに対して、１枚の写真をプレゼントしたとする。その後ユーザＢは、表示装置１１００Ａに、プレゼントされた１枚の写真をセットする。１枚の写真がセットされたことに応じて、表示装置１１００Ａは、セットされた１枚の写真に関連付けられている写真集（情報）を表示する。これによりユーザＢは、１枚の写真に関連付けられている写真集（情報）を見ることができる。
この場合、ユーザＢは、ユーザＡから１枚の写真をプレゼントしたもらったのみで、この写真と関連する写真集（情報）を見ることができる。またユーザＡは、１枚の写真をユーザＢにプレゼントするのみにより、ユーザＢに対して、写真に関連する写真集（情報）をプレゼントすることができる。
このようにして、ユーザＡがユーザＢに対して、１枚の写真を直接的にプレゼントすることにより、１枚の写真と関連付けられている写真集を間接的にプレゼントすることができる。
【００３０】
ここで、１枚の写真が、写真集の内容を示す代表的な写真や、写真集全体を想起又は連想させる写真などであれば、この１枚の写真から、ユーザＡとユーザＢとは、１枚の写真から写真集全体を、想起又は連想することができる。よって、この場合、プレゼントとなる対象は写真集に関連する１枚の写真のみであっても、ユーザＡとユーザＢとは、写真集を直接見ることなくとも、どのような写真集であるかを、この１枚の写真から視認により簡単に確認することができる。
【００３１】
（１枚の写真による写真集の直感的な管理）
また、他の１例として、ユーザが、写真集と関連付けられている１枚の写真を、写真集ごとに複数所有しているものとする。この場合も、１枚の写真が、写真集の内容を示す代表的な写真や、写真集全体を想起又は連想させる写真などであれば、ユーザは、１枚の写真から写真集全体を、想起又は連想することができる。
【００３２】
そして、ユーザは、１枚の写真を視認により確認してから、表示装置１１００Ａに、１枚の写真をセットする。１枚の写真がセットされたことに応じて、表示装置１１００Ａは、セットされた１枚の写真に関連付けられている写真集（情報）を表示する。これによりユーザは、１枚の写真に関連付けられている写真集（情報）を見ることができる。
この場合、ユーザは、写真集（情報）と関連付けられている写真を管理しているとする。そして、ユーザは、見たい写真集がある場合、管理している写真のうちから、見たい写真集と関連付けられている１枚の写真を、視認により確認して選択し、選択した１枚の写真を表示装置１１００Ａにセットする。これにより、ユーザは、見たい写真集を、表示装置１１００Ａを介して見ることができる。このように、１枚の写真が、写真集の内容を示す代表的な写真や、写真集全体を想起又は連想させる写真などであれば、ユーザは、見たい写真集を１枚の写真により、直感的に確認し選択することや、直感的に管理することができるという効果がある。
【００３３】
また、１枚の写真が物理的な写真、すなわち、データではなく紙などの媒体であるため、ユーザは、１枚の写真又は写真集を、コンピュータ上のデータを管理するような場合に対比して、より直感的に管理することができる。
【００３４】
（複数枚の写真から写真集を表示）
なお、上記の説明においては、１枚の写真に基づいて表示装置１１００Ａが写真集（情報）を表示する場合について説明したが、これに限られるものではない。例えば、複数枚の写真に基づいて表示装置１１００Ａが写真集を表示してもよい。これは、例えば、複数枚の写真をセットしたことにより、初めて見ることが可能となる写真集であってもよい。
【００３５】
（写真集ではない情報の表示）
また、表示装置１１００Ａが表示する情報は写真集のみに限られるものではなく、１枚の写真に関連付けられている任意の情報であってもよい。例えば、写真が撮像された日付、場所、撮像条件、被写体の情報、任意の文章などの情報であってもよい。
（情報を受信して表示）
なお、上記の説明においては、記憶部１１３０に予め写真集（情報）が記憶されているものとして説明したがこれに限られるものではない。例えば、制御部１１５０Ａは、インタフェース（Ｉ／Ｆ）部１１４０を介して、１枚の写真の識別情報に関連付けられている写真集などの情報を、通信処理により受信し、受信した写真集などの情報を、表示部１１１０に表示してもよい。これにより、ユーザは、ユーザが所有していない写真集であっても、受信により所有することができる。
（ＥＰＤによる効果）
なお、表示部１１１０がＥＰＤ１１０１Ｂを備えているため、ユーザは表示装置１１００Ａにより、写真集のうちの好きな写真を長期的に表示し続けることが可能である。
【００３６】
（第１実施形態における一態様：表紙型の表示装置）
続いて、図４を参照し、本実施形態における表紙型の表示装置について説明する。
図４は、本実施形態における表示装置の一態様を示す図である。この図４に示される表紙型の表示装置１１００Ｂは、写真が印刷された複数のページと、前述の複数のページを保護する表表紙１１１１Ｃと裏表紙１１１３Ｃとを少なくとも備えており、本の構造と同様な構造となるように構成されている。なお、製本された状態の厚さなどに応じて、背を設けてもよい。以下の説明では、背１１１２Ｃを設けた場合についての場合を例示する。
図４（ａ）が、表示装置１１００Ｂを開いた状態を示し、図４（ｂ）が表示装置１１００Ｂを閉じた状態を示す。
この図４に示される表示装置１１００Ｂにおいて、表表紙１１１１Ｃには、表示部１１１１が設けられ、表示部１１１１には情報を表示するＥＰＤ１１１１Ｂが設けられている。裏表紙１１１３Ｃには、表示部１１１３が設けられ、表示部１１１３には情報を表示するＥＰＤ１１１３Ｂが設けられている。背１１１２Ｃには、表示部１１１２が設けられ、表示部１１１２には情報を表示するＥＰＤ１１１２Ｂが設けられている。以下の説明において、表示部１１１１、１１１２、１１１３を纏めて示す場合、又は、何れかを示す場合に、単に表示部１１１０Ｂという。
【００３７】
表示装置１１００Ｂは、自装置が備えている写真に基づいた情報を表示部１１１０Ｂに表示する。要するに、表示装置１１００Ｂは、自装置が備えている写真に基づいて、表示部１１１１に表示する情報をＥＰＤ１１１１Ｂ、表示部１１１２に表示する情報をＥＰＤ１１１２Ｂ、表示部１１１３に表示する情報をＥＰＤ１１１３Ｂに書き込む。
【００３８】
表示部１１１０Ｂに表示する情報は、本の内容、つまり閲覧可能なページに印刷（表示）された情報に応じて定められる。例えば、本実施形態における表示装置１１００Ｂは、本のページや、章立てにおける章などに応じて、そのページや章などに関連する情報（開いているページの検出結果などに関連する情報）を抽出し、抽出した情報を表示部１１１０Ｂに表示してもよい。
【００３９】
図５を参照して、表示装置１１００Ｂについて、より具体的な一例を挙げて説明する。
図５は、本実施形態における表示装置の構成の一態様を示す図である。この図５に示される表紙型の表示装置１１００Ｂは、表示部１１１０Ｂと、検出部１１２０Ｂと、記憶部１１３０と、インタフェース部１１４０と、制御部１１５０Ｂとを備える。
【００４０】
表示部１１１０Ｂは、例えば電子ペーパーを表示手段として有する。以下の説明において、表示部１１１０Ｂが有する電子ペーパーを、電気泳動型の表示装置（ＥＰＤ（ElectroPhoretic Display））１１１１Ｂ、１１１２Ｂ、１１１３Ｂを例にして説明する。なお、表示手段は、表示領域がメモリー性を有するものや、不揮発性の情報として保持するものであってもよい。このようなＥＰＤ１１１１Ｂ、１１１２Ｂ、１１１３Ｂは、表示領域に情報が書き込まれる期間に電力を消費するが、表示領域に保持した情報を表示した状態を維持する期間には電力の消費を不要とする。
【００４１】
検出部１１２０Ｂは、本のページや章立てにおける章などを、しおり（スピン１１２０Ｓ）を挟んでいる位置（ページ）や、本を閉じる前に開いていたページや、開いていた時間が比較的長いページなどに基づいて検出する。例えば、検出部１１２０Ｂは、本の綴じ部に設けた検出部１１２０Ｂ（屈曲センサー）によって、本の開きによる綴じ部の歪量を検出し、歪量が大きな位置から開いているページを推定することにより、開いているページを検出する。章などの検出は、開いているページの検出結果に応じて、推定結果に応じた章を検出する。検出部１１２０Ｂは、検出した本のページや章立てにおける章などに応じた識別情報を生成する。
【００４２】
制御部１１５０Ｂは、記憶部１１３０が記憶する情報と、検出部１１２０Ｂによって生成された識別情報とに基づいて表示部１１１０Ｂの表示を制御する。制御部１１５０Ｂは、開いているページの検出結果などにより、検出部１１２０Ｂによって本のページや章立てにおける章などが検出されると、検出された本のページや章立てにおける章などに関連する情報を記憶部１１３０が記憶する情報から、識別情報に基づいて抽出する。制御部１１５０Ｂは、抽出した情報を表示部１１１０Ｂに表示する。
【００４３】
図６を参照して、本実施形態における表示装置の処理を説明する。
図６は、本実施形態における表示装置の処理の一態様を示すフローチャートである。
制御部１１５０Ｂは、電源供給状態を検出する（ステップＳｂ１０）。検出部１１２０Ｂは、本のページや章立てにおける章などに応じて特定される情報を検出する（ステップＳｂ２０）。検出部１１２０Ｂは、前述の特定される情報に応じた識別情報を生成する（ステップＳｂ３０）。制御部１１５０Ｂは、表示部１１１０Ｂに書き込む情報を、記憶部１１３０に記憶されている情報から、生成された識別情報に基づいて抽出する（ステップＳｂ４０）。制御部１１５０Ｂは、表示部１１１０Ｂに表示させる情報を表示部１１１０Ｂに書き込む（ステップＳｂ５０）。制御部１１５０Ｂは、表示装置１１００Ｂを休止状態に移行させる（ステップＳｂ６０）。
【００４４】
このように、表示装置１１００Ｂは、本のページや章立てにおける章などから特定される情報に応じて、開いているページの検出結果などに関連する情報を表示部１１１０Ｂ（ＥＰＤ１１１１、１１１２、１１１３）に表示することができる。
【００４５】
なお、特定のページに直接対応する情報を表示する場合でなければ、ページの検出は厳密でなくてもよい。特定のページを含む所定の範囲は内容（テーマ）が関連する場合が比較的多い。特定のページを含む所定の範囲に応じて表示する内容を選択することにより、本のページや、章立てにおける章などの検出は、必要に応じた精度まで低減させることができる。これにより、検出部１１２０Ｂの構成と処理を簡素化することができる。
【００４６】
本実施形態によれば、例えば次のような効果を奏する。
例えば、本のうち、自分が好きなページを、本の表紙にすることができる。例えば本が写真集の場合、写真集のうち好きなページに対応する写真を、本の表紙として表示することができる。
また、本を読みかけの場合、読んだページに対応する情報を、本の表紙として表示することができる。これによりユーザは、読んだページを、本の表紙により直感的に把握することができる。
なお、表示部１１１１、１１１２、１１１３がＥＰＤ１１１１Ｂ、１１２Ｂ、１１３Ｂをそれぞれ備えているため、ユーザは表示装置１１００Ｂにより、写真集のうちの好きな写真を長期的に表示し続けることが可能である。
【００４７】
続いて、図７から図１３を参照し、本実施形態における表示装置と、表示装置のケースとを組み合わせた表示システムについて説明する。
【００４８】
（第１実施形態における一態様：表示装置に情報を提供するケースと、ケースから提供を受けた情報を表示する表示装置とを組み合わせた表示システム）
最初に、図７、図８を参照し、本実施形態における表示装置に情報を提供するケースと、ケースから提供を受けた情報を表示する表示装置とを組み合わせた表示システムについて説明する。
図７は、本実施形態における表示システムの一態様を示す図である。
この図７（ａ）に示される表示システム１５００Ａは、表示装置１１００Ｃとケース１２００Ａとを備える。
ケース１２００Ａは、本を収納する箱型のケース（外箱）と同様な構成を備えており、本に代えて表示装置１１００Ｃを収納する。
ケース１２００Ａは、表示装置１１００Ｃの表示部１１１０Ｂに表示する情報を記憶部１２３０（図８）に保持しており、保持している情報を表示装置１１００Ｃに提供する。ケース１２００Ａから表示装置１１００Ｃへの情報の提供は、ケース１２００Ａに表示装置１１００Ｃを収納した状態で行われる。
【００４９】
表示装置１１００Ｃは、前述の表示装置１１００Ｂと同様に表紙型の表示装置の一態様である。
ただし、表示装置１１００Ｃは、表示部１１１０Ｂに表示する情報の取得方法が、前述の表示装置１１００Ｂと異なる。より具体的に相違点を示すと、前述の表示装置１１００Ｂは、本として備えている内容に関連付けられる識別情報に応じて、表示部１１１０Ｂに表示する情報を制御するものであった。一方、表示装置１１００Ｃは、表示部１１１０Ｂに表示する情報をケース１２００Ａから受信し、受信した情報に基づいて表示部１１１０Ｂの表示を制御する。
【００５０】
図８は、本実施形態における表示システムの構成の一態様を示す図である。この図８に示される表示システム１５００Ａにおいて、表示装置１１００Ｃとケース１２００Ａとが示されている。
ケース１２００Ａは、記憶部１２３０と、インタフェース部１２４０とを備える。
記憶部１２３０は、表示装置１１００Ｃの表示部１１１０Ｂに表示する情報を記憶する。
インタフェース部１２４０は、ケース１２００Ａから表示装置１１００Ｃに情報を送るための入出力処理を行う。
【００５１】
表示装置１１００Ｃは、表示部１１１０Ｂと、検出部１１２０Ｃと、記憶部１１３０と、インタフェース部１１４０と、制御部１１５０Ｃとを備える。
【００５２】
検出部１１２０Ｃは、自装置がケース１２００Ａに収納されたか否かを検出する。
インタフェース部１１４０は、ケース１２００Ａから情報を得るための入出力処理を行う。
制御部１１５０Ｃは、ケース１２００Ａから取得して記憶部１１３０が記憶する情報と、検出部１１２０Ｃによって検出された結果とに基づいて表示部１１１０Ｂの表示を制御する。制御部１１５０Ｃは、検出部１１２０Ｃによってケース１２００Ａに収納されたか否かを検出した後、ケース１２００Ａの記憶部１２３０に記憶されている情報を読み出して取得するとともに、記憶部１１３０に記憶させる。
【００５３】
このように構成された表示システムにおいて、表示装置１１００Ｃは、対応するケース１２００Ａと組み合わせることにより、ケース１２００Ａにおいて記憶されている情報を得ることができる。
【００５４】
図７に戻り、ケース１２００Ａに表示装置１１００Ｃが収納された状態について説明する。
図７（ｂ）は、ケース１２００Ａに表示装置１１００Ｃが収納された状態を示す。
この図７（ｂ）は、ケース１２００Ａにおいて、収納した表示装置１１００Ｃの表示部１１１０Ｂに表示されている情報が、ケース１２００Ａを透過して確認できる状態を示す。
要するに、ケース１２００Ａのうち、少なくとも表示装置１１００Ｃに対応する一部が、光を透過する材質によって形成されている場合に、表示装置１１００Ｃの表示部１１１０Ｂに表示されている情報がケース越しに確認できるようになる。つまり、ケース１２００Ａが、表示部を備えていないものであっても、表紙型の表示装置１１００Ｃをケース１２００Ａに収納することにより、あたかも表示機能を有するがごとく表示することが可能となる。
【００５５】
図９から図１３を参照して、以下に示す表示装置と表示装置型ケースとの組み合わせにおいて、表示装置と表示装置型ケースとに表示する情報を、表示装置と表示装置型ケースとの何れの装置が保持しているかに応じて２通りの場合分けができる。
第１の場合は、表示装置と表示装置型ケースとに表示する情報を、表示装置が保持する場合である。
第２の場合は、表示装置と表示装置型ケースとに表示する情報を、表示装置型ケースが保持する場合である。
以下、上記の２通りの場合に分けて順に説明する。先に、表示装置と表示装置型ケースとに表示する情報を表示装置が保持する場合（第１の場合）から説明する。
【００５６】
（第１実施形態における一態様：表示装置と表示装置型ケースを組み合わせた表示システム）
続いて、図９、図１０を参照して、本実施形態における表示装置と表示装置型ケースを組み合わせた表示システム（上記第１の場合）について説明する。
図９は、本実施形態における表示システムの一態様を示す図である。この図９に示される表示システム１５００Ｂは、表示装置１１００Ｄと、ケース１２００Ｂとを備える。
【００５７】
ケース１２００Ｂは、本を収納する箱型のケース（外箱）と同様な構成を備えており、本に代えて表示装置１１００Ｄを収納する。
この図９に示されるケース１２００Ｂにおいて、収納する表示装置１１００Ｄの表表紙１１１１Ｃと裏表紙１１１３Ｃに対応する面に表示部１２１１と表示部１２１３が設けられている。
表示部１２１１には情報を表示するＥＰＤ１２１１Ｂが設けられている。表示部１２１３には情報を表示するＥＰＤ１２１３Ｂが設けられている。
また、ケース１２００Ｂの開口部に対向する面（ケース１２００Ｂの外側の面）には、表示部１２１２が設けられ、表示部１２１２には情報を表示するＥＰＤ１２１２Ｂが設けられている。以下の実施形態の説明において、表示部１２１１、１２１２、１２１３を纏めて示す場合、又は、何れかを示す場合に、単に表示部１２１０Ｂという場合がある。
ケース１２００Ｂは、表示装置１１００Ｄの表示部１１１０Ｂ、及び、ケース１２００Ｂが備える表示部１１１１、１１１２、１１１３に表示する情報を記憶部１２３０（図１０）に保持しており、保持している情報を表示装置１１００Ｄに提供する。ケース１２００Ｂから表示装置１１００Ｄへの情報の提供は、ケース１２００Ｂに表示装置１１００Ｄを収納した状態で行われる。
【００５８】
図１０は、本実施形態における表示システムの構成の一態様を示す図である。この図１０に示される表示システム１５００Ｂは、表示装置１１００Ｄと、ケース１２００Ｂとが示されている。
ケース１２００Ｂは、記憶部１２３０と、インタフェース部１２４０と、表示部１２１１、１２１２、１２１３とを備える。
表示部１２１１、１２１２、１２１３は、例えば電子ペーパーを表示手段として有する。以下の説明において、表示部１２１１、１２１２、１２１３が有する電子ペーパーを、電気泳動型の表示装置（ＥＰＤ（ElectroPhoretic Display））１２１１Ｂ、１２１２Ｂ、１２１３Ｂを例にして説明する。なお、表示手段は、表示領域がメモリー性を有するものや、不揮発性の情報として保持するものであってもよい。このようなＥＰＤ１２１１Ｂ、１２１２Ｂ、１２１３Ｂは、表示領域に情報が書き込まれる期間に電力を消費するが、表示領域に保持した情報を表示した状態を維持する期間には電力の消費を不要とする。
インタフェース部１２４０は、ケース１２００Ｂに表示装置１１００Ｄから情報を送るための入出力処理を行う。また、ケース１２００Ｂからの制御に応じて、情報を表示部１２１１、１２１２、１２１３に書き込む指令を受ける入出力処理を行う。
【００５９】
表示装置１１００Ｄは、表示部１１１０Ｂと、検出部１１２０Ｃと、記憶部１１３０と、インタフェース部１１４０と、制御部１１５０Ｄとを備える。
【００６０】
制御部１１５０Ｄは、記憶部１１３０が記憶する情報と、検出部１１２０Ｃによって検出された結果とに基づいて表示部１１１０Ｂと、ケース１２００Ｂにおける表示部１２１１、１２１２、１２１３との表示を制御する。制御部１１５０Ｄは、検出部１１２０Ｃによってケース１２００Ｂに収納されたか否かを検出した後、記憶部１１３０に記憶されている情報を読み出して、ケース１２００Ｂにおける記憶部１２３０に記憶させる。
【００６１】
このように構成された表示システムにおいて、表示装置１１００Ｄは、対応するケース１２００Ｂと組み合わせることにより、表示装置１１００Ｄにおいて記憶されている情報をケース１２００Ｂに送ることができる。表示装置１１００Ｄは、ケース１２００Ｂから得た情報に基づいて、表示部１２１１、１２１２、１２１３に表示する。
【００６２】
（ケースによる写真集の直感的な管理）
ユーザが、写真集などの情報と関連付けられている表示装置１１００Ｄを、例えば写真集などの情報ごとに複数所有しているものとする。この場合も、１つのケースが、写真集のタイトルや、写真集などの情報の内容を示す代表的な写真や、写真集全体を想起又は連想させる写真などを示すものであれば、ユーザは、１つのケースに表示した情報から写真集などの情報全体を、想起又は連想することができる。
【００６３】
そして、ユーザは、１つのケースを視認により確認してから、ケースに表示装置１１００Ｄを挿入（セット）する。ケースにセットされたことに応じて、ケースは、セットされた表示装置１１００Ｄに関連付けられている写真集（情報）を表示する。これによりユーザは、表示装置１１００Ｄに関連付けられている写真集（情報）を見ることができる。また、表示装置１１００Ｄは、表示装置１１００Ｄに関連付けられている写真集（情報）を表示することができる。
この場合、ユーザは、写真集（情報）と関連付けられている表示装置１１００Ｄを管理しているとする。そして、ユーザは、見たい写真集がある場合、管理している表示装置１１００Ｄのうちから、見たい写真集として選択した１つの表示装置１１００Ｄをケースにセットする。これにより、ユーザは、見たい写真集を、ケースを介して見ることができる。このように、１つのケースが、写真集のタイトルや、写真集などの情報の内容を示す代表的な写真や、写真集全体を想起又は連想させる写真などを示すものであれば、ユーザは、見たい写真集を１つのケースにより、直感的に確認し選択することや、直感的に管理することができるという効果がある。
【００６４】
また、１つの表示装置１１００Ｄが、単なるデータではなく物理的な物体であるため、ユーザは、写真集などの情報を、単にコンピュータ上のデータを管理するような場合に対比して、より物理的に、すなわち、直感的に管理することができる。
また、ユーザはケースを複数集めることにより、写真集に含まれる異なる情報をそれぞれのケースに表示させることができる。そのためユーザは、写真集などの情報から好みの情報を同時に表示するという楽しみを、単にコンピュータ上のデータを集める場合に対比して、より物理的に、すなわち、直感的に楽しむことができる。
また、ケースは、対応する任意の表示装置１１００Ｄが備える写真集の情報を表示することができる。ケースが表示する情報の切り替えは、表示装置１１００Ｄをケースにセットすることにより行えるので、複雑な操作を必要としない。そのためユーザは、表示したい写真集の情報を備えた表示装置１１００Ｄを選んで、ケースにセットするという簡単な行為で、その写真集などの情報から好みの情報を表示させて楽しむことができる。
【００６５】
（第１実施形態における一態様：表示装置と、複数の表示装置型ケースを組み合わせた表示システム）
続いて、図１１を参照して、本実施形態における表示装置と、複数の表示装置型ケースを組み合わせた表示システム（上記第１の場合）について説明する。
図１１は、本実施形態における表示システムの一態様を示す図である。この図１１に示される表示システム１５００Ｃは、表示装置１１００Ｄと、複数のケース１２００Ｂとを備える。
【００６６】
複数（Ｎ個）のケース１２００Ｂは、互いに接触するように順に並べられて、それぞれの表示部１２１２の各面が組み合わされて、１つの面になるように揃えて配置されている。
この図１１に示されるように、Ｎ個のケース１２００Ｂを並べて配置されている順に、「−０１」から「−０Ｎ」までの番号をつけて、それぞれを識別する識別情報とする。
要するに、Ｎ個のケース１２００Ｂを並べて配置する一方の端にケース１２００Ｂ−０１を配置して、ケース１２００Ｂ−０１の隣にケース１２００Ｂ−０２を並べて配置して、Ｎ個のケース１２００Ｂを同様に順に並べて、他方の端にケース１２００Ｂ−０Ｎを配置する。
同様に、並べて表示部１２１２が配置されて、一方の端にケース１２００Ｂ−０１の表示部１２１２−０１が配置され、表示部１２１２−０１の隣に表示部１２１２−０２が並べて配置され、Ｎ個のケース１２００Ｂを同様に順に並べることにより、他方の端に表示部１２１２−０Ｎが配置される。
【００６７】
ここで、表示部１２１２−０１から表示部１２１２−０Ｎまで並べたことにより、全体を纏めて１つの表示部として扱うことができるようになる。
例えば、全体を纏めた１つの表示部として表示する場合の画像をＮ個に分割して、分割した画像を個々の表示部１２１２において表示する情報として、それぞれのケース１２００Ｂに送ってそれぞれ表示させる。このように、全体を纏めた１つの表示部として扱うことにより、個々のケース１２００Ｂで表示できない情報を表示できるようになる。
【００６８】
以上に示す本実施態様における制御は、表示装置１１００Ｄが備える制御部１１５０Ｄが行う。
制御部１１５０Ｄは、順に並べて配置されているケース１２００Ｂの数量に応じた画像を、個々のケース１２００Ｂに配分する。配分する画像の情報は、予め複数に分割して記憶されている情報を記憶部１１３０から読みだして取得してもよく、或は、記憶部１１３０から読みだして取得した１つの画像情報を、並べられたケース１２００Ｂの数量に応じて分割して生成してもよい。
表示装置１１００Ｄは、並べられたケース１２００Ｂのうち何れのケース１２００Ｂにセットされてもよい。表示装置１１００Ｄがセットされたケースは、他のケースにおいて表示する画像の情報を中継して他のケースに送ることができる。或いは、表示装置１１００Ｄは、ケースにセットされた状態で、他のケースにおいて表示する画像の情報を他のケースに直接送るようにすることにより、ケース間の配線を不要とすることができる。
【００６９】
（第１実施形態における一態様：表示装置と表示装置型ケースを組み合わせた表示システムの他の実施態様）
続いて、図９、図１２を参照して、本実施形態における表示装置と表示装置型ケースを組み合わせた表示システム（上記第１の場合）の他の実施態様について説明する。
以下の説明では、前述の図９を参照し、表示システム１５００Ｂ、表示装置１１００Ｄ、ケース１２００Ｂを、表示システム１５００Ｄ、表示装置１１００Ｅ、ケース１２００Ｃにそれぞれ読み替える。
【００７０】
図１２は、本実施形態における表示システムの構成の一態様を示す図である。この図１２に示される表示システム１５００Ｄは、表示装置１１００Ｅと、ケース１２００Ｃとを備える。
ケース１２００Ｃは、記憶部１２３０と、インタフェース部１２４０と、表示部１２１１、１２１２、１２１３と、制御部１２５０を備える。
制御部１２５０は、記憶部１１３０が記憶する情報と、表示装置１１００Ｅにおける検出部１１２０Ｃによって検出された結果とに基づいて、表示装置１１００Ｅにおける表示部１１１０Ｂと、表示部１２１１、１２１２、１２１３との表示を制御する。制御部１２５０は、表示装置１１００Ｅにおける検出部１１２０Ｃによって、ケース１２００Ｃに表示装置１１００Ｅが収納されたか否かを検出した後、記憶部１１３０に記憶されている情報を読み出して、記憶部１２３０に記憶させる。
【００７１】
表示装置１１００Ｅは、表示部１１１０Ｂと、検出部１１２０Ｃと、記憶部１１３０と、インタフェース部１１４０とを備える。表示装置１１００Ｅは、前述の表示装置１１００Ｄと異なり、制御部を備えておらず、各種制御の処理は、ケース１２００Ｃの制御部１２５０の処理にゆだねる。
【００７２】
本実施態様の場合、表示装置１１００Ｅが単独で各種制御の処理を行わない。表示装置１１００Ｅは、ＥＰＤであることにより、ケース１２００Ｃによって書き込まれたままの画像を表示部１１１０Ｂに表示させておくことができる。
【００７３】
（第１実施形態における一態様：表示装置と表示装置型ケースを組み合わせた表示システムの他の実施態様）
続いて、図９、図１３を参照して、本実施形態における表示装置と表示装置型ケースを組み合わせた表示システム（上記第１の場合）の他の実施態様について説明する。
以下の説明では、前述の図９を参照し、表示システム１５００Ｂ、表示装置１１００Ｄ、ケース１２００Ｂを、表示システム１５００Ｅ、表示装置１１００Ｆ、ケース１２００Ｄにそれぞれ読み替える。
【００７４】
図１３は、本実施形態における表示システムの構成の一態様を示す図である。この図１３に示される表示システム１５００Ｅは、表示装置１１００Ｆと、ケース１２００Ｄとを備える。
表示装置１１００Ｆは、表示部１１１０Ｂと、検出部１１２０Ｃと、記憶部１１３０と、インタフェース部１１４０と、制御部１１５０Ｅとを備える。
【００７５】
制御部１１５０Ｅは、記憶部１１３０が記憶する情報と、検出部１１２０Ｃによって検出された結果とに基づいて表示部１１１０Ｂの表示を制御する。制御部１１５０Ｅは、検出部１１２０Ｃによってケース１２００Ｄに収納されているか否かを検出した後、記憶部１１３０に記憶されている情報を、ケース１２００Ｄの制御部１２５０Ａを介してケース１２００Ｄの記憶部１２３０に記憶させる。
【００７６】
ケース１２００Ｄは、記憶部１２３０と、インタフェース部１２４０と、表示部１２１１、１２１２、１２１３と、制御部１２５０Ａを備える。
制御部１２５０Ａは、表示装置１１００Ｆにおける制御部１１５０Ｅからの制御指令に応じて、表示部１２１１、１２１２、１２１３の表示を制御する。表示装置１１００Ｆにおける検出部１１２０Ｃによってケース１２００Ｄに表示装置１１００Ｆが収納されたか否かが検出された後に、表示装置１１００Ｆにおける制御部１１５０Ｅから、表示部１２１１、１２１２、１２１３の表示を制御する制御指令が発せられる。この制御指令に応じて、制御部１２５０Ａは、表示部１２１１、１２１２、１２１３に対する書き込み処理を行う。また、制御部１２５０Ａは、表示装置１１００Ｆから受信した情報を記憶部１２３０に記憶させる。
【００７７】
このように構成された表示システム１５００Ｅにおいて、表示装置１１００Ｆは、対応するケース１２００Ｄと組み合わせることにより、ケース１２００Ｄは、表示装置１１００Ｆにおいて記憶されている情報を得ることができる。
また、本実施態様における表示システム１５００Ｅにおいては、表示装置１１００Ｆとケース１２００Ｄとにそれぞれ制御部が設けられていることにより、処理機能を分散させることにより並列処理を可能とし、処理時間を短縮させるとともに利便性を高めることができる。
【００７８】
次に、表示装置と表示装置型ケースとに表示する情報を表示装置型ケースが保持する場合（第２の場合）を説明する。
【００７９】
（第１実施形態における一態様：表示装置と表示装置型ケースを組み合わせた表示システム）
続いて、図９、図１０を参照して、本実施形態における表示装置と表示装置型ケースを組み合わせた表示システム（上記第２の場合）について説明する。
図９は、本実施形態における表示システムの一態様を示す図である。この図９に示される表示システム１５００Ｂは、表示装置１１００Ｄと、ケース１２００Ｂとを備える。
【００８０】
ケース１２００Ｂは、本を収納する箱型のケース（外箱）と同様な構成を備えており、本に代えて表示装置１１００Ｄを収納する。
この図９に示されるケース１２００Ｂにおいて、収納する表示装置１１００Ｄの表表紙１１１１Ｃと裏表紙１１１３Ｃに対応する面に表示部１２１１と表示部１２１３が設けられている。
表示部１２１１には情報を表示するＥＰＤ１２１１Ｂが設けられている。表示部１２１３には情報を表示するＥＰＤ１２１３Ｂが設けられている。
また、ケース１２００Ｂの開口部に対向する面（ケース１２００Ｂの外側の面）には、表示部１２１２が設けられ、表示部１２１２には情報を表示するＥＰＤ１２１２Ｂが設けられている。以下の実施形態の説明において、表示部１２１１、１２１２、１２１３を纏めて示す場合、又は、何れかを示す場合に、単に表示部１２１０Ｂという。
ケース１２００Ｂは、表示装置１１００Ｄの表示部１１１０Ｂ、及び、ケース１２００Ｂが備える表示部１１１１、１１１２、１１１３に表示する情報を記憶部１２３０（図１０）に保持しており、保持している情報を表示装置１１００Ｄに提供する。ケース１２００Ｂから表示装置１１００Ｄへの情報の提供は、ケース１２００Ｂに表示装置１１００Ｄを収納した状態で行われる。
【００８１】
図１０は、本実施形態における表示システムの構成の一態様を示す図である。この図１０に示される表示システム１５００Ｂは、表示装置１１００Ｄと、ケース１２００Ｂとが示されている。
ケース１２００Ｂは、記憶部１２３０と、インタフェース部１２４０と、表示部１２１１、１２１２、１２１３とを備える。
表示部１２１１、１２１２、１２１３は、例えば電子ペーパーを表示手段として有する。以下の説明において、表示部１２１１、１２１２、１２１３が有する電子ペーパーを、電気泳動型の表示装置（ＥＰＤ（ElectroPhoretic Display））１２１１Ｂ、１２１２Ｂ、１２１３Ｂを例にして説明する。なお、表示手段は、表示領域がメモリー性を有するものや、不揮発性の情報として保持するものであってもよい。このようなＥＰＤ１２１１Ｂ、１２１２Ｂ、１２１３Ｂは、表示領域に情報が書き込まれる期間に電力を消費するが、表示領域に保持した情報を表示した状態を維持する期間には電力の消費を不要とする。
インタフェース部１２４０は、ケース１２００Ｂから表示装置１１００Ｄに情報を送るための入出力処理を行う。また、ケース１２００Ｂからの制御に応じて、情報を表示部１２１１、１２１２、１２１３に書き込む指令を受ける入出力処理を行う。
【００８２】
表示装置１１００Ｄは、表示部１１１０Ｂと、検出部１１２０Ｃと、記憶部１１３０と、インタフェース部１１４０と、制御部１１５０Ｄとを備える。
【００８３】
制御部１１５０Ｄは、ケース１２００Ｂから取得して記憶部１１３０が記憶する情報と、検出部１１２０Ｃによって検出された結果とに基づいて表示部１１１０Ｂと、ケース１２００Ｂにおける表示部１２１１、１２１２、１２１３との表示を制御する。制御部１１５０Ｄは、検出部１１２０Ｃによってケース１２００Ｂに収納されたか否かを検出した後、ケース１２００Ｂの記憶部１２３０に記憶されている情報を読み出して取得するとともに、記憶部１１３０に記憶させる。
【００８４】
このように構成された表示システムにおいて、表示装置１１００Ｄは、対応するケース１２００Ｂと組み合わせることにより、ケース１２００Ｂにおいて記憶されている情報を得ることができる。表示装置１１００Ｄは、ケース１２００Ｂから得た情報に基づいて、表示部１２１１、１２１２、１２１３に表示する。
【００８５】
（ケースによる写真集の直感的な管理）
ユーザが、写真集などの情報と関連付けられているケースを、写真集などの情報ごとに複数所有しているものとする。この場合も、１つのケースが、写真集のタイトルや、写真集などの情報の内容を示す代表的な写真や、写真集全体を想起又は連想させる写真などを示すものであれば、ユーザは、１つのケースから写真集などの情報全体を、想起又は連想することができる。
【００８６】
そして、ユーザは、１つのケースを視認により確認してから、ケースに表示装置１１００Ｄを挿入（セット）する。ケースにセットされたことに応じて、表示装置１１００Ｄは、セットされたケースに関連付けられている写真集（情報）を表示する。これによりユーザは、ケースに関連付けられている写真集（情報）を見ることができる。
この場合、ユーザは、写真集（情報）と関連付けられているケースを管理しているとする。そして、ユーザは、見たい写真集がある場合、管理しているケースのうちから、見たい写真集と関連付けられている１つのケースを、視認により確認して選択し、選択した１つのケースに表示装置１１００Ｄをセットする。これにより、ユーザは、見たい写真集を、表示装置１１００Ｄを介して見ることができる。このように、１つのケースが、写真集のタイトルや、写真集などの情報の内容を示す代表的な写真や、写真集全体を想起又は連想させる写真などを示すものであれば、ユーザは、見たい写真集を１つのケースにより、直感的に確認し選択することや、直感的に管理することができるという効果がある。
【００８７】
また、１つのケースが物理的なケース、すなわち、単なるデータではなく物理的な物体であるため、ユーザは、写真集などの情報を、単にコンピュータ上のデータを管理するような場合に対比して、より物理的に、すなわち、直感的に管理することができる。
また、ユーザはケースを複数集めることにより、写真集などの情報を集めることができる。そのためユーザは、写真集などの情報を収集するという楽しみを、単にコンピュータ上のデータを集める場合に対比して、より物理的に、すなわち、直感的に楽しむことができる。
【００８８】
（第１実施形態における一態様：表示装置と、複数の表示装置型ケースを組み合わせた表示システム）
続いて、図１１を参照して、本実施形態における表示装置と、複数の表示装置型ケースを組み合わせた表示システム（上記第２の場合）について説明する。
図１１は、本実施形態における表示システムの一態様を示す図である。この図１１に示される表示システム１５００Ｃは、表示装置１１００Ｄと、複数のケース１２００Ｂとを備える。
【００８９】
複数（Ｎ個）のケース１２００Ｂは、互いに接触するように順に並べられて、それぞれの表示部１２１２の各面が組み合わされて、１つの面になるように揃えて配置されている。
この図１１に示されるように、Ｎ個のケース１２００Ｂを並べて配置されている順に、「−０１」から「−０Ｎ」までの番号をつけて、それぞれを識別する識別情報とする。
要するに、Ｎ個のケース１２００Ｂを並べて配置する一方の端にケース１２００Ｂ−０１を配置して、ケース１２００Ｂ−０１の隣にケース１２００Ｂ−０２を並べて配置して、Ｎ個のケース１２００Ｂを同様に順に並べて、他方の端にケース１２００Ｂ−０Ｎを配置する。
同様に、並べて表示部１２１２が配置されて、一方の端にケース１２００Ｂ−０１の表示部１２１２−０１が配置され、表示部１２１２−０１の隣に表示部１２１２−０２が並べて配置され、Ｎ個のケース１２００Ｂを同様に順に並べることにより、他方の端に表示部１２１２−０Ｎが配置される。
【００９０】
ここで、表示部１２１２−０１から表示部１２１２−０Ｎまで並べたことにより、全体を纏めて１つの表示部として扱うことができるようになる。
例えば、全体を纏めた１つの表示部として表示する場合の画像をＮ個に分割して、分割した画像を個々の表示部１２１２において表示する情報として、それぞれのケース１２００Ｂに送ってそれぞれ表示させる。このように、全体を纏めた１つの表示部として扱うことにより、個々のケース１２００Ｂで表示できない情報を表示できるようになる。
【００９１】
以上に示す本実施態様における制御は、表示装置１１００Ｄが備える制御部１１５０Ｄが行う。
制御部１１５０Ｄは、順に並べて配置されているケース１２００Ｂの数量に応じた画像を、個々のケース１２００Ｂに配分する。配分する画像の情報は、予め複数に分割して記憶されている情報を何れかのケース１２００Ｂから取得してもよく、或は、何れかのケース１２００Ｂから取得した１つの画像情報を、並べられたケース１２００Ｂの数量に応じて分割して生成してもよい。
制御部１１５０Ｄは、配分する画像の情報を、何れのケース１２００Ｂから取得してもよい。なお、制御部１１５０Ｄは、収納されているケース１２００Ｂから配分する画像の情報を取得することにより、ケース間の配線を不要とすることができる。
【００９２】
（第１実施形態における一態様：表示装置と表示装置型ケースを組み合わせた表示システムの他の実施態様）
続いて、図９、図１２を参照して、本実施形態における表示装置と表示装置型ケースを組み合わせた表示システム（上記第２の場合）の他の実施態様について説明する。
以下の説明では、前述の図９を参照し、表示システム１５００Ｂ、表示装置１１００Ｄ、ケース１２００Ｂを、表示システム１５００Ｄ、表示装置１１００Ｅ、ケース１２００Ｃにそれぞれ読み替える。
【００９３】
図１２は、本実施形態における表示システムの構成の一態様を示す図である。この図１２に示される表示システム１５００Ｄは、表示装置１１００Ｅと、ケース１２００Ｃとを備える。
ケース１２００Ｃは、記憶部１２３０と、インタフェース部１２４０と、表示部１２１１、１２１２、１２１３と、制御部１２５０を備える。
制御部１２５０は、記憶部１２３０が記憶する情報と、表示装置１１００Ｅにおける検出部１１２０Ｃによって検出された結果とに基づいて、表示装置１１００Ｅにおける表示部１１１０Ｂと、表示部１２１１、１２１２、１２１３との表示を制御する。制御部１２５０は、表示装置１１００Ｅにおける検出部１１２０Ｃによって、ケース１２００Ｃに表示装置１１００Ｅが収納されたか否かを検出した後、記憶部１２３０に記憶されている情報を読み出して、記憶部１１３０に記憶させる。
【００９４】
表示装置１１００Ｅは、表示部１１１０Ｂと、検出部１１２０Ｃと、記憶部１１３０と、インタフェース部１１４０とを備える。表示装置１１００Ｅは、前述の表示装置１１００Ｄと異なり、制御部を備えておらず、各種制御の処理は、ケース１２００Ｃの制御部１２５０の処理にゆだねる。
【００９５】
本実施態様の場合、表示装置１１００Ｅが単独で各種制御の処理を行わない。表示装置１１００Ｅは、ＥＰＤであることにより、ケース１２００Ｃによって書き込まれたままの画像を表示部１１１０Ｂに表示させておくことができる。
【００９６】
（第１実施形態における一態様：表示装置と表示装置型ケースを組み合わせた表示システムの他の実施態様）
続いて、図９、図１３を参照して、本実施形態における表示装置と表示装置型ケースを組み合わせた表示システム（上記第２の場合）の他の実施態様について説明する。
以下の説明では、前述の図９を参照し、表示システム１５００Ｂ、表示装置１１００Ｄ、ケース１２００Ｂを、表示システム１５００Ｅ、表示装置１１００Ｆ、ケース１２００Ｄにそれぞれ読み替える。
【００９７】
図１３は、本実施形態における表示システムの構成の一態様を示す図である。この図１３に示される表示システム１５００Ｅは、表示装置１１００Ｆと、ケース１２００Ｄとを備える。
表示装置１１００Ｆは、表示部１１１０Ｂと、検出部１１２０Ｃと、記憶部１１３０と、インタフェース部１１４０と、制御部１１５０Ｅとを備える。
【００９８】
制御部１１５０Ｅは、ケース１２００Ｄから取得して記憶部１１３０が記憶する情報と、検出部１１２０Ｃによって検出された結果とに基づいて表示部１１１０Ｂの表示を制御する。制御部１１５０Ｅは、検出部１１２０Ｃによってケース１２００Ｄに収納されているか否かを検出した後、ケース１２００Ｄの記憶部１２３０に記憶されている情報を、ケース１２００Ｄの制御部１２５０Ａを介して取得するとともに、記憶部１１３０に記憶させる。
【００９９】
ケース１２００Ｄは、記憶部１２３０と、インタフェース部１２４０と、表示部１２１１、１２１２、１２１３と、制御部１２５０Ａを備える。
制御部１２５０Ａは、表示装置１１００Ｆにおける制御部１１５０Ｅからの制御指令に応じて、表示部１２１１、１２１２、１２１３の表示を制御する。表示装置１１００Ｆにおける検出部１１２０Ｃによってケース１２００Ｄに表示装置１１００Ｆが収納されたか否かが検出された後に、表示装置１１００Ｆにおける制御部１１５０Ｅから、表示部１２１１、１２１２、１２１３の表示を制御する制御指令が発せられる。この制御指令に応じて、制御部１２５０Ａは、表示部１２１１、１２１２、１２１３に対する書き込み処理を行う。また、制御部１２５０Ａは、記憶部１２３０に記憶されている情報を読み出して、表示装置１１００Ｆに対して送信する。
【０１００】
このように構成された表示システム１５００Ｅにおいて、表示装置１１００Ｆは、対応するケース１２００Ｄと組み合わせることにより、ケース１２００Ｄにおいて記憶されている情報を得ることができる。
また、本実施態様における表示システム１５００Ｅにおいては、表示装置１１００Ｆとケース１２００Ｄとにそれぞれ制御部が設けられていることにより、処理機能を分散させることにより並列処理を可能とし、処理時間の短縮させることにより利便性を高めることができる。
【０１０１】
次に、上記の表示システムに共通する処理を纏めて説明する。
【０１０２】
（表示装置とケースとを組み合わせた場合の制御）
表示システムは、表示装置とケースとを組み合わせることにより、表示部に表示する情報を生成する。例えば、表示システムは、上記の実施態様に示したように、表示装置の記憶部又はケースの記憶部に記憶されている情報から、表示装置の表示部とケースの表示部とのうち少なくとも何れかの表示部に表示する情報を生成する。表示システムにおいては、表示装置の記憶部又はケースの記憶部は、少なくとも所定の表示部に表示する情報を記憶するものであればよい。
【０１０３】
或いは、複数の情報のうちから選択可能な情報を、上記の所定の表示部に表示する情報としてもよい。複数の情報のうちから選択可能な情報を上記の所定の表示部に表示する場合、制御部は、表示装置とケースとの組み合わせを示す情報に応じて、記憶部が記憶する複数の情報のうちから所定の情報を選択するとよい。複数の情報のうちから所定の情報の選択は、例えば、表示装置とケースとの組み合わせや、収納したケースに対する表示装置の方向に応じて実施してもよい。
【０１０４】
複数の情報のうちから所定の情報を選択について補足する。
上記の表示装置とケースとの組み合わせは、例えば、表示装置の記憶部に記憶されている情報のうち表示装置の種類を示す識別情報と、ケースの記憶部に記憶されている情報のうちケースの種類を示す識別情報とに基づいて判定できる。
【０１０５】
また、収納したケースに対する表示装置の方向は、例えば、表示装置又はケースの所定の位置に設けた表示（マーカー、バーコードなど）を検出することによりした得ることができる。なお、上記の所定の位置に設ける表示は、例えば、明度の異なる表示、配色の異なる表示、及び、特定の形状の表示（構造）のうち少なくとも何れかである。なお、上記の複数の表示を組み合わせて表示してもよい。
表示装置とケースとのうちの何れかにおいて、上記の表示を構造的に対称な位置（例えば、角部）に設けることにより、ケースに対する表示装置の方向を示す情報が容易に検出可能となる。要するに、ケースに表示装置を収納する際に、ケースの開口部の上下方向に対して表示装置の上下方向を一致させて収納しているか、天地を逆にして収納しているかの上下方向の組み合わせを検出可能となる。また、ケースに表示装置を収納する際に、ケースの開口部に表示装置の背側から挿入されたか、ケースの開口部に表示装置の背側が向くように挿入されたかの挿入方向を検出可能となる。また、上下方向の組み合わせと挿入方向とを合わせて検出することにより、さらに選択可能な情報の対象数を増やすことができる。
【０１０６】
（情報のコピーの制限）
本システムは、表示装置とケースとの関係において、一の装置から他の装置に情報を移動したり、コピーしたりすることができる。
本システムは、情報の移動やコピーを無条件に許容する場合に限らず、必要に応じて、情報の移動を制限したり、コピーを制限したりすることもできる。
情報の移動を制限する条件として、移動の可否、一の装置から他の装置に向けて移動する方向の制御が挙げられる。
情報のコピーを制限する条件として、コピーの可否、コピー回数の制御、一の装置の情報を他の装置の情報としてコピーする方向の制御が挙げられる。例えば、コピーする方向の制御は、ケースと表示装置との間で情報をコピーする場合に、一方を許可して、他方を禁止することにより行われる。
また、本システムは、保持していた情報を消失した場合には、上記制限を解除して、消失した情報に対応する情報の移動やコピーを許可して、消失した情報を回復させる処理をする。
【０１０７】
（組み合わせ形態の変形例）
複数の表示装置を組み合わせて、表示する画面を構成してもよい。
前述の図１１において、複数のケース型の表示装置を組み合わせる場合を例示したが、表紙型の表示装置を組み合わせてもよい。
例えば、複数の表示装置の背が揃うように並べて配置する。各表示装置を並べて配置することにより一連の情報を表示できるように、各表示装置の背には、表示装置の数に応じて分割された一連の情報を複数の表示装置に対応させてそれぞれ表示する。表示装置の数に応じて分割された一連の情報は、複数の表示装置の背が揃うように並べて配置された順に従って、各表示装置に対応付けられる。
【０１０８】
（組み合わせ形態の変形例）
本体側を「見開き型」又は「表紙型」の表示装置で構成し、ケース側を「ケース型」の表示装置で構成して、本体側の表示装置と、ケース側の表示装置との組を形成してもよい。
例えば、「ケース型」の表示装置は、「見開き型」又は「表紙型」の表示装置を収納して、「ケース型」の表示装置が表示する情報を「見開き型」又は「表紙型」の表示装置側から得てもよい。
或いは、「ケース型」の表示装置に「見開き型」又は「表紙型」の表示装置を収納して、「見開き型」又は「表紙型」の表示装置が表示する情報をケース側から得てもよい。
このように、本体側の表示装置とケース側の表示装置との構成には、情報を保持する記憶部と、記憶された情報を表示部に表示させる制御部とが少なくとも１つずつ含まれる。少なくとも一方の表示装置が備える制御部は、一方の表示装置の表示部と、他方の表示装置の表示部とに情報を表示させることができる。
【０１０９】
（給電制御）
表示装置は、外部の電源から供給される電力に基づいて機能する。例えば、インタフェース（Ｉ／Ｆ）部１１４０は、自装置の外部から電力の供給を受けるとともに、供給を受けた電力を、自装置を機能させる電力として供給する。
或は、表示装置は、インタフェース（Ｉ／Ｆ）部１１４０において電力を発電する発電部を備え、消費する電力を発電部に発電させてもよい。例えば、発電部は太陽電池を含む。さらに、表示装置は、外部から供給される電力や発電部が発電した電力を蓄える蓄電部を備え、蓄電部から供給される電力に基づいて機能してもよい。
表示装置は、供給される電力を中継し、即ち、供給元となる一の装置から、供給先の他の装置に電力を供給することができる。一の装置に外部の電源から電力が供給されている場合、一の装置は、供給された電力の一部を他の装置に供給する。
或は、表示装置は、一の装置が蓄電部を備え、一の装置から他の装置に電力を供給することができる。一の装置が蓄電部を備え、蓄電部に電力が蓄えられている場合、一の装置は、蓄えられた電力の一部を他の装置に供給することができる。
なお、発電部と蓄電部は、同一の装置が備えていてもよく、或は、異なる装置がそれぞれを備えていてもよい。
【０１１０】
［第２実施形態］
以下、本発明の一実施形態について、図面を参照して説明する。以下の説明において、同様の構成要素については、同じ符号を付してその説明を簡略化或いは省略することがある。
【０１１１】
最初に、本実施形態の説明に先立ち、本実施形態の表示装置と表示制御装置に対応する技術的な背景を説明する。
既存の端末装置に比べ、より簡単に各種情報を利用することができる装置が望まれている。
本実施形態では、より簡単に各種情報を利用することにより、利便性を高めることができる表示システムと、同表示システムにおいて利用される表示制御装置を中心に以下の説明を行う。
【０１１２】
（第２実施形態における一態様）
図１４を参照し、本実施形態における表示部及びベース部について説明する。
図１４は、本実施形態における表示部及びベース部の第１態様を示す図である。図１４（ａ）に示す表示部２１００は、平面視矩形状のシート状を成す。表示部２１００は、矩形状の表示領域２１２０と、接続端子部２１７０とを有する。接続端子部２１７０は表示部２１００の一短辺に沿って設けられている。接続端子部２１７０が設けられた短辺と、この短辺に隣り合う長辺とが突き合わされた角部の近傍に、表示部２１００の辺端部を一部切り欠いた形状の凹部２１１０が設けられている。
なお、表示部２１００は、表示部２１００における表示領域２１２０の部分に、例えば電子ペーパーを表示手段として有する。以下の説明において、表示部２１００が有する電子ペーパーを、電気泳動型の表示装置（ＥＰＤ（ElectroPhoretic Display））を例にして説明する。なお、表示手段は、表示領域がメモリー性を有するものや、不揮発性の情報として保持するものであってもよい。このようなＥＰＤは、表示領域に情報が書き込まれる期間に電力を消費するが、表示領域に保持した情報を表示した状態を維持する期間には電力の消費を不要とする。
【０１１３】
ベース部２３００は、図１４（ｂ）に示すように、表示部２１００が挿入されるスリット状の挿入口２３３０と、挿入口２３３０の底部に設けられた接続コネクタ２３７０と、挿入口２３３０に挿入された表示部２１００を固定する保持機構２３２０と、を有する。保持機構２３２０は係止爪２３１０を有する。係止爪２３１０は、保持機構２３２０によって挿入口２３３０の側壁から内部へ進退される。ベース部２３００の挿入口に、表示部２１００を接続端子部２１７０側から挿入し、表示部２１００の接続端子部２１７０とベース部２３００の接続コネクタ２３７０とを接続することで、ベース部２３００と表示部とが電気的に接続される。
【０１１４】
ベース部２３００は、配置される表示部２１００の基台であるとともに、表示部２１００に対して電力と、表示部２１００に表示する情報を供給する。
【０１１５】
例えば、ベース部２３００は、表示部２１００に電力を供給するインタフェース（Ｉ／Ｆ）部１２４０（供給部）と、Ｉ／Ｆ部１２４０により表示部２１００に電力を供給している期間、保持機構２３２０（保持部）により表示部２１００が保持されている状態を維持する制御部２１５０とを備える。
制御部２１５０は、表示部２１００に対する情報の書き込みを制御する。制御部２１５０は、以下に示す処理を行う。
【０１１６】
図１４に示す態様では、保持機構２３２０は、ベース部２３００に配置された表示部２１００がベース部２３００から離脱しないように係止する係止爪２３１０を備えたロック機構である。本実施形態において、係止爪２３１０が進退する所定の方向は、ベース部２３００に表示部２１００を取り付ける際に移動させる方向（図示上下方向）に直交する方向（図示左右方向）である。保持機構２３２０は、挿入口２３３０に表示部２１００が挿入された状態において、係止爪２３１０を、上記の進退方向に沿って、ベース部２３００の挿入口の側壁面から表示部２１００の側面に対して突出させる。係止爪２３１０は表示部２１００の凹部に係合される。これにより、表示部２１００の挿入口に対する進退（図示上下方向の移動）が規制される。表示部２１００はベース部２３００から離脱しないように係止される。本実施形態において、表示部２１００は、少なくともベース部２３００から電力の供給を受ける所定の期間に、ベース部２３００から離脱させることができないように、保持機構２３２０の係止爪２３１０によってベース部２３００に固定される。
【０１１７】
上記形態では、表示部２１００とベース部２３００との電気的接続と、表示部２１００のロック機構（保持機構２３２０）とを別々の部材として設けていたが、電気的接続機能を兼ね備えたロック機構を有する構成としてもよい。
図１５は、表示部及びベース部の第２態様を示す図である。図１５（ａ）に示す表示部２１０１は、表示領域２１２０と、表示領域２１２０の外側の領域の表示部２１０１の角部に設けられた制御部筐体２１８０とを備えている。制御部筐体２１８０は、表示部２１０１の表示領域２１２０が形成された部分よりも若干厚い板状の部材である。制御部筐体２１８０の外側を向いた側端面にサイドコネクタ２１７５が設けられている。制御部筐体２１８０の第１主面に第１コネクタ２１９０Ａが設けられ、第２主面（第１主面の裏側の面）に第２コネクタ２１９０Ｂが設けられている。
【０１１８】
ベース部２３００は、図１５（ｂ）に示すように、表示部２１０１が挿入されるスリット状の挿入口２３３０と、挿入口２３３０に挿入された表示部２１０１に接続される保持機構２３４０と、を有する。保持機構２３４０は接続コネクタ２３５０を有する。接続コネクタ２３５０は、保持機構２３４０によって挿入口２３３０の側壁から内部へ進退される。
表示部２１０１とベース部２３００とを接続するには、まず、ベース部２３００の挿入口に、表示部２１０１を制御部筐体２１８０側から挿入する。その後、保持機構２３４０によりベース部２３００の接続コネクタ２３５０を進出させ、表示部２１０１のサイドコネクタ２１７５に接続する。これにより、表示部２１０１とベース部２３００とが電気的に接続される。また、接続コネクタ２３５０は、挿入口に対する表示部２１０１の挿脱方向（図１５（ａ）に示す上下方向）に対して直交する方向（図１５（ａ）に示す左右方向）に沿って進退するため、ベース部２３００の接続コネクタ２３５０を表示部２１０１のサイドコネクタ２１７５に嵌合させることで、表示部２１０１の挿脱が規制される。これにより、表示部２１０１がベース部２３００の所定位置に固定される。
【０１１９】
なお、ベース部２３００から表示部２１０１への給電は、電気的な接点を介して供給してもよく、或は、電気的な接点を介さずに無線で供給してもよい。
電気的な接点を介して供給する場合は、例えば、ベース部２３００の接続コネクタ２３５０と、表示部２１０１のサイドコネクタ２１７５とが、表示部２１０１がベース部２３００に配置された状態で接触するように配置される。
或は、それぞれの接続部は、ベース部２３００の接続部が係止爪２３１０の端部に設けられ、係止爪２３１０の端部に接触するように表示部２１０１の接続端子部が設けられ、係止爪２３１０が表示部２１０１を係止している状態で接触するように配置されていてもよい。
【０１２０】
一方、電気的な接点を介さずに無線で供給する場合は、ベース部２３００から出力される電力を表示部２１０１が受けることができる位置となるように、ベース部２３００と表示部２１０１との相対的な位置が保持される。電気的な接点を介さずに無線で供給する場合は、ベース部２３００と表示部２１０１との距離を、電力の供給が可能な所定の距離まで離して配置することができる。
ただし、電気的な接点を介さずに無線で供給する場合や、さらにベース部２３００と表示部２１０１との距離を、電力の供給が可能な所定の距離まで離して配置する場合であっても、保持機構２３４０は、ベース部２３００から表示部２１０１に電力を供給する所定の期間において、ベース部２３００と表示部２１０１との距離を保持する。
このように、ベース部２３００から表示部２１０１に電力を供給する所定の期間において、ベース部２３００と表示部２１０１との距離を保持することにより、表示部２１０１に表示する情報を設定する期間に電力が遮断されることを防止して、表示される情報が失われたり、表示部が破損したりすることを防止する。
【０１２１】
（表示部に対する書き込み処理）
表示部２１０１（２１１０）は、表示する情報を一旦消去された後、書き込みが行われる。このように一旦消去することにより、誤書き込みを防止したり、新たに書き込まれた情報を表示したりする場合の品質を高めている。
ベース部２３００における制御部２２５０Ａ（図１８）は、各表示部２１０１の書き込み状態を検出して、消去された状態か否かを判定する。制御部２２５０Ａは、判定の結果に随って、消去された状態にあると判定した当該表示部に対する書き込み処理を行う。なお、判定の結果、消去された状態にないと判定した当該表示部を、書き込み処理を行う対象から除き、消去された状態にない表示部が検出されたことを出力する。
なお、上記の各表示部２１０１が消去された状態か否かの判定は、例えば、次に示す方法により実施可能である。
例えば、表示部２１０１内に記憶領域を設けておき、表示部２１０１の書き込み状態を示すフラグを記憶させる。同フラグは、「書き込まれている状態」と「消去された状態」とのうち何れかの状態であるかを示す。制御部２２５０Ａは、「書き込み処理」と「消去処理」をそれぞれ完了した段階で、フラグの書き換えを行う。その後、制御部２２５０Ａは、このフラグの状態を検出することにより、表示部における表示状態を検出することが可能となる。
或は、表示部２１０１に表示した画像に基づいて判定してもよい。例えば、表示部２１０１における表示領域内に、書き込み状態を示す情報を予め定められた所定の位置に表示する。ここに示された情報をフラグとして用いてもよい。また、フラグとして示す情報を、バーコードやＱＲコード（登録商標）などによって示してもよい。
【０１２２】
なお、表示部には、片面表示を可能とするものと、表面と裏面に情報を表示可能な両面表示を可能とするものがある。両面表示を可能とする表示部は、ベース部２３００からの指示に応じた面に書き込みを行う。
例えば、ベース部２３００は、表示部が、片面表示を可能とするものであるか、両面表示を可能とするものであるかを判定する。判定の結果、表示部が両面表示を可能とするものであると判定した場合、ベース部２３００は、表示部に対して書き込み処理を行う面が表面であるか、裏面であるかを指定して、指定した面に書き込みを行う。前述の書き込みフラグを、表面と裏面とに対応させて２個設けることにより、それぞれの面の書き込み状態を独立に管理することができる。
【０１２３】
（第２実施形態における他の一態様）
【０１２４】
図１６を参照し、本実施形態における表示部及びベース部について説明する。
上記の説明では、ベース部２３００に配置する表示部を１つとして、ベース部２３００と表示部の関係を１対１とする場合について説明したが、本実施形態においては、１つのベース部が複数（Ｎ個）の表示部に纏めて書き込みを行う場合の変形例について説明する。
この変形例の場合は、ベース部と表示部の関係が１対Ｎになる。
【０１２５】
図１６は、複数の表示部をベース部に接続する態様を示す図である。本実施形態で用いる表示部は図１５に示したものと同様である。すなわち、４隅のうちの１つの角部に制御部筐体２１８０が設けられた表示部２１０１である。ベース部２２００は、その上面に設けられた凹部２２１０内に、接続コネクタ２２９０が設けられた構成を備えている。
図１６（ａ）に示すように、複数の表示部２１０１は、隣り合う制御部筐体２１８０同士が平面視で重なるように配置されることで、互いに電気的に接続することができる。すなわち、積層された複数の表示部２１０１において、一の表示部２１０１の制御部筐体２１８０の第２コネクタ２１９０Ｂと、これに隣り合う他の表示部２１０１の制御部筐体２１８０の第１コネクタ２１９０Ａとを接続する。このようにして隣り合う表示部２１０１同士を電気的に接続することで、積層された複数の表示部２１０１全体を電気的に接続する。
そして、図１６（ｂ）に示すように、積層された表示部２１０１のうち、最下層に位置する表示部２１０１の制御部筐体２１８０の第２コネクタ２１９０Ｂを、ベース部２２００の接続コネクタ２２９０に接続することで、複数の表示部２１０１とベース部２２００とを電気的に接続することができる。
【０１２６】
このように、複数の表示部２１０１は、重ねた状態で、ベース部２２００に配置することができる。重ねて配置された複数の表示部２１０１は、それぞれベース部と通信することが可能である。例えば、複数の表示部がベース部と有線通信で接続される場合には、ベース部に対してバス型に接続される。或は、複数の表示部は、ベース部から順にディジーチェーン型に接続される。複数の表示部とベース部との通信回線の種別やトポロジー構成に制限はない。なお、複数の表示部がベース部と無線通信で接続されてもよい。
【０１２７】
また、複数の表示部は、ベース部から同報される制御指令を受信するとともに、個別に通知された制御指令をそれぞれ受信して、受信した制御指令に対する応答をベース部に返信する。
【０１２８】
なお、図１４に示した表示部２１００では、相互接続機構（第１コネクタ２１９０Ａ、第２コネクタ２１９０Ｂ）は設けられていない。この場合には、図１７に示すベース部２５００を用いることができる。ベース部２５００は、筐体上面に、複数（図示では４本）のスリット状の挿入口２５１０、２５２０、２５３０、２５４０が設けられた構成を有する。挿入口２５１０、２５２０、２５３０、２５４０の側方には、発光素子等を有するインジケータ２５１５、２５２５、２５３５、２５４５が設けられている。挿入口２５１０、２５２０、２５３０、２５４０の底部には、図１４（ｂ）に示したのと同様の接続コネクタが設けられている。各々の挿入口２５１０、２５２０、２５３０、２５４０に対して表示部２１００を挿入し、コネクタを接続することで、ベース部２５００に複数（例えば４枚）の表示部２１００を接続することができる。
【０１２９】
続いて、図１８を参照して、本実施形における表示部及びベース部の構成について説明する。
図１８は、本実施形における表示部及びベース部の構成の一態様を示す図である。
表示部２１００（２１０１）は、ベース部２３００（２３０１）によって表示する情報が書き換えられる。
ベース部２３００（２３０１）は、記憶部２２３０と、インタフェース部２２４０と、制御部２２５０Ａとを備える。
【０１３０】
インタフェース（Ｉ／Ｆ）部２２４０は、外部から電力の供給を受け、制御部２２５０Ａの制御に応じて、表示部２１００（２１０１）に電力を供給する。また、インタフェース（Ｉ／Ｆ）部２２４０は、自装置以外の他の装置と通信する通信処理を行う。インタフェース（Ｉ／Ｆ）部２２４０が行う通信は、有線通信であっても無線通信であってもよい。
【０１３１】
制御部２２５０Ａは、記憶部２２３０が記憶する情報を基に、表示部２１００（２１０１）に情報を書き込む。制御部２２５０Ａは、表示部２１００（２１０１）に対する電力の供給をインタフェース（Ｉ／Ｆ）部２２４０を制御して、所定のタイミングに行うように制御する。制御部２２５０Ａは、表示部２１００（２１０１）に対して電力を供給するタイミングに、表示部２１００（２１０１）が離脱しないように保持機構２３２０（２３４０）を制限する。
【０１３２】
なお、本実施形態における表示制御装置は、以下の制御を行うことも可能とする。
（表示する情報の切替制御）
表示する情報の切替制御は、情報に応じて予め指定されたコピーの可否、及び、コピー回数の制限に応じて行われる。例えば、表示する情報の書き込み処理は、ベース部からの制御指令に応じて行われる。なお、個々の表示部に表示する情報は、情報提供者が選択し、ベース部を介して書き込み処理を行うこととする。
【０１３３】
また、ベース部と通信可能な表示部であって、表示部からベース部に通知された表示部の識別情報の数量を検出することにより、ベース部から制御可能な表示部の数（個数）を検出できる。さらに、表示部からベース部に通知された表示部の識別情報の数量と、書き込み処理を行う予定の表示部として用意した表示部の数（個数）とが一致するか否かを判定し、用意した表示部の中に制御不能な表示部が混入しているか否かを判定することができる。
【０１３４】
表示部に一旦書き込んだ情報をベース部が読み出して、読み出した情報を回収する場合がある。一般に情報を回収する処理とは、情報を保持していた媒体Ａから保持していた情報を収集するとともに、媒体Ａにおける情報を消去する処理を示す。ただし、本実施形態のように情報を保持する媒体が電子ペーパーである場合には、媒体である電子ペーパーに保持されている情報を電子ペーパーから直接読み出すことができない。そこで、本実施形態においては、媒体が情報を保持する権利を管理することにより、情報を回収する処理を実現する。
例えば、情報を保持していた媒体Ａの情報を消去するとともに、情報を保持していた媒体Ａにおける情報を保持する権利を抹消し、当初媒体Ａに情報を書き込ませたコピー回数を、上記の権利の抹消に応じて減らす。要するに、コピー可能とする回数が、媒体Ａにおける情報の消去に応じて増加するため、実質的な「情報も回収」と同様の効果を奏することができる。
【０１３５】
このように表示部に一旦書き込んだ情報を回収する場合、書き込まれた状態でベース部に配置された表示部の数量と、回収処理により回収された情報の数量との一致を判定することにより、情報の回収処理が正常に行われたか否かを判定することができる。
【０１３６】
また、表示部には、情報の書き込み、及び、読み出し（回収）の情報（履歴情報）を記憶するものがある。履歴情報を記憶することができる表示部については、情報の回収時などにベース部が履歴情報の整合性を判定してもよい。なお、表示部は、履歴情報を表示する画像の一部に埋め込んで、画像情報の一部として記憶してもよい。
【０１３７】
以上のように、表示部に書き込まれた情報を無駄にすることなく、再利用することが可能となる。
【０１３８】
表示部は、いわゆる電子ペーパーである場合には、書き込み処理の期間に情報を書き換える電力を消費するが、情報を保持する期間には電力を消費しない。
仮に複数の表示部に同時に書き込みを行う場合を想定すると、当該期間に電力の消費が集中することになる。そこで、本実施形態においては、複数の表示部に書き込みを行う場合であっても、同時に書き込み処理を行う表示部の数を低減することにより、電力変動のピーク値を低減するように制御する。
【０１３９】
このように、表示部２１００（２１０１）は、必ずしも電源と制御部を備えることを必要としていない。
ただし、表示部２１００（２１０１）が電源と制御部を備えることにより、次の処理を行うことができる。
例えば、位置情報を取得できる表示部２１００（２１０１）は、表示部２１００（２１０１）が配置される位置に応じて、書き込まれた情報を消去してもよい。表示部２１００（２１０１）が配置される位置に応じて情報を消去する処理の制御は、例えば表示部が所定の無線信号を受信可能であるとして、所定の無線信号を受信できなくい状態と判定した結果に応じて、表示部が消去する処理をしてもよい。
また、例えば、情報が書き込まれてからの経過時間を管理できる表示部２１００（２１０１）は、書き込まれてからの経過時間に応じて、所定の時間経過した場合に書き込まれた情報を消去してもよい。
このように、表示部２１００（２１０１）が配置される位置や、表示部２１００（２１０１）に書き込まれてからの経過時間に応じて、表示部２１００（２１０１）が自らの判定結果に応じて情報を消去することができる。これにより、不用意な情報の流出や転用を抑制することができるようになる。
【０１４０】
続いて、図１９を参照して、本実施形態の表示部を情報伝達管理システムに適用する場合について説明する。
図１９は、本実施形態における情報伝達管理システムを示す図である。
この図１９に示される情報伝達管理システムは、例えば複数の組織間の情報伝達を管理する。
この図１９に示される情報伝達管理システムは、表示部２１００（２１０１）、ベース部２２００（２５００）、ベース部２３００（２３０１）、情報管理装置２４００を備える。
情報管理装置２４００は、組織Ａから組織Ｂに伝達する情報を生成し、ベース部２２００（２５００）を介して表示部に書き込む。
情報が書き込まれた表示部２１００（２１０１）は、組織Ａから組織Ｂに送られる。
組織Ｂにおいて、情報管理装置２４００と通信可能なベース部２３００（２３０１）は、組織Ａから届いた表示部２１００（２１０１）の情報を得て、情報管理装置２４００に得た情報を送信する。
このように、組織Ａから組織Ｂに対する情報を届ける媒体として、表示部２１００（２１０１）が機能する。一方、組織Ｂから組織Ａに対する情報を、通信手段２６００を介して収集する。
【０１４１】
組織Ａを学校、組織Ｂを家庭に対応させて、情報伝達管理システムを適用する場合を例示して説明する。
従来、学校（組織Ａ）から家庭（組織Ｂ）に対して伝達する情報を紙にプリントして配布している。学校で配布されたプリントがあったことを家庭で確認するには、家庭に届いた実際のプリントを確認するまで判定できない。一般にプリントして配布する情報は、各家庭に共通の情報を伝達する情報に限られる。
仮に、プリントが配布されたにもかかわらず、プリントが配布されたことを失念した場合、家庭では確認することができない。また、プリントを配布した学校側も、そのプリントが家庭で確認されたか否かを容易に確認することができない。
従来の紙のプリントによる運用では、伝達を要する情報が無事家庭に届いているか否かを容易に確認することができないものであった。
【０１４２】
そこで、本実施形態における情報伝達管理システムを適用することにより、以下を可能とする。
（１）各家庭に共通に伝達する情報に、家庭ごとに固有の情報を付加して、家庭ごとに割り付けられた表示部に情報を書き込むことができる。
（２）各家庭に届いた表示部をベース部２３００（２３０１）に配置することにより、ベース部２３００（２３０１）は表示部が届いて確認されたことを情報管理装置２４００に通知する。これにより、各家庭からの通知を集計することにより、確認済みの家庭の情報を学校が収集することができる。
（３）情報管理装置２４００は、表示部を媒体にする配布物を発行した場合、配布物の宛先に当る家庭のベース部２３００（２３０１）に対して、配布物を発行したことを通知する。そして、ベース部２３００（２３０１）は、情報管理装置２４００から配布物を発行したことの通知を受けると、配布物が発行されたことをベース部２３００（２３０１）が備える表示部に表示する。これにより、各家庭において、配布物が発行されたことを事前に確認することができる。
（４）（２）において収集された確認済みの家庭の情報に基づいて、未確認の家庭が含まれる場合には、次の配布物を配布する際に、未確認の家庭に対しては、前回の配布物が未確認であった旨の固有の情報を付加して、表示部に書き込ませる情報を生成する。
【０１４３】
なお、本実施形態におけるベース部（２３００等）は、表示部２１００（２１０１）に情報を書き込ませるための電力を発電する発電部をＩ／Ｆ部２１４０の構成に含むものであってもよい。Ｉ／Ｆ部２１４０における発電部は、例えば、太陽電池を含み、受けた光量から電力に変換する。或いは、Ｉ／Ｆ部２１４０は、発電部として、温度差を検出して温度差エネルギーを電力に変換する温度差発電部や、動きを検出して運動エネルギーを電力に変換する発電部などを備えていてもよい。発電部を備えるＩ／Ｆ部２１４０は、発電部が発電した電力を、表示部２１１０に情報を表示させる電力として供給する。
また、Ｉ／Ｆ部２１４０は、供給されるエネルギーを電力に変換し、表示部２１１０に情報を表示させる電力として供給するものであるが、供給されるエネルギーは適宜選択できる。例えば、Ｉ／Ｆ部２１４０は、ワイヤレス給電により供給される無線電力から変換して、変換した電力を表示部２１１０に供給してもよい。
【０１４４】
［第３実施形態］
以下、本発明の一実施形態について、図面を参照して説明する。以下の説明において、同様の構成要素については、同じ符号を付してその説明を簡略化或いは省略することがある。
【０１４５】
（第３実施形態における一態様：収納容器）
【０１４６】
図２０を参照し、本実施形態における収納容器について説明する。
図２０は、本実施形態における収納容器の一態様を示す図である。この図２０に示される収納容器３１００は、容器本体部３９１０と容器蓋部３９２０とを備える。なお、図２０（ａ）と図２０（ｂ）は、収納容器３１００を異なる方向から俯瞰した状態を示す。
【０１４７】
容器本体部３９１０は、所定の物品を収納可能な収納部を備え、所定の物品を収納可能な開口部が設けられる。例えば、容器本体部３９１０は、上部に開口部が設けられた箱状に形成されている。
本実施形態における収納容器３１００の内側の面には表示部３１１１（第１表示部）が、収納容器３１００の外側の面には表示部３１１２（第２表示部）がそれぞれ設けられている。
【０１４８】
容器蓋部３９２０は、容器本体部３９１０（容器）の開口部に対応する形状を有しており、容器本体部３９１０の開口部を塞ぐように形成されている。例えば、容器蓋部３９２０は、箱状に形成されている容器本体部３９１０の蓋である。容器本体部３９１０（容器）の開口部に対する容器蓋部３９２０の開閉は、収納容器３１００の使用者によって行われる。
なお、図示される容器蓋部３９２０は、容器本体部３９１０の開口部の１辺に沿って設けられたヒンジ部（不図示）を介して容器本体部３９１０に設けられている。容器蓋部３９２０は、ヒンジ部が備える軸を中心に回転させることにより、ヒンジ部の可動範囲内の任意の角度に容器蓋部３９２０を開くことができる。
本実施形態における収納容器３１００の内側の面に表示部３１１１（第１表示部）、収納容器３１００の外側の面に表示部３１１２（第２表示部）がそれぞれ配置されている。
【０１４９】
収納容器３１００には、さらに、検出部３１２０、記憶部３１３０、及び制御部３１５０が設けられている。なお、表示部３１１１、３１１２、検出部３１２０、記憶部３１３０、及び制御部３１５０は、容器本体部３９１０と容器蓋部３９２０とのうち少なくとも何れか一方に設けられていればよい。
【０１５０】
図２０を参照し、本実施形態における収納容器３１００の構成について説明する。
図２０は、本実施形態における収納容器の構成の一態様を示す図である。この図２０に示される収納容器３１００は、表示部３１１０、検出部３１２０、記憶部３１３０、及び制御部３１５０を備える。
【０１５１】
表示部３１１０は、表示部３１１１（第１表示部）と表示部３１１２（第２表示部）とを備える。表示部３１１１は、容器本体部３９１０又は容器蓋部３９２０の面のうち、収納部の内面となる面に配置され、制御部３１５０によって定められる所定の物品に係る第１の情報を表示する。表示部３１１２は、容器本体部３９１０又は容器蓋部３９２０の容器の外面となる面に配置され、制御部３１５０によって定められる所定の物品に係る第２の情報を表示する。要するに、表示部３１１０は、制御部３１５０によって定められる所定の物品に係る情報を表示する。表示部３１１０は、例えば、電子ペーパーを表示手段として有する。以下の説明において、表示部３１１０が有する電子ペーパーを、電気泳動型の表示装置（ＥＰＤ（ElectroPhoretic Display））を例にして説明する。なお、表示手段は、表示領域がメモリー性を有するものや、不揮発性の情報として保持するものであってもよい。このようなＥＰＤは、表示領域に情報が書き込まれる期間に電力を消費するが、表示領域に保持した情報を表示した状態を維持する期間には電力の消費を不要とする。
【０１５２】
検出部３１２０は、検出部３１２１と検出部３１２２とを備える。
検出部３１２１は、容器本体部３９１０（容器）の内部に配置された所定の物品を検出する。例えば、検出部３１２１は、所定の物品の物理的な特徴を検出する。検出部３１２０が検出する物理的な特徴は、収納容器に収納された所定の物品の有無、大きさ、重量、色などのうち、少なくとも何れかの物理的な特徴である。
検出部３１２２は、容器蓋部３９２０の開閉状態を検出する。例えば、検出部３１２２は、開閉センサー、加速度センサー、傾斜角センサーなどの少なくとも何れかを含み、容器蓋部３９２０の開閉状態、傾きなどのうち、少なくとも何れかの物理的な特徴を検出する。
記憶部３１３０は、収納される物品の種類に応じた情報として各表示部に表示する情報（画像情報）を、収納される物品の種類を示す識別情報に関連付けて記憶する。
【０１５３】
制御部３１５０は、検出部３１２０によって検出された所定の物品（物品の種類）に応じて、表示部３１１０に表示させる情報を切り替える。さらに、制御部３１５０は、検出部３１２０によって検出された容器蓋部３９２０の開閉状態に応じて、表示部３１１０に表示させる情報を切り替える。制御部３１５０は、検出部３１２０によって検出された所定の物品（物品の種類）の情報と、検出部３１２０によって検出された容器蓋部３９２０の開閉状態の情報に基づいて、表示部３１１０に表示させる情報を制御する。
例えば、制御部３１５０は、収納容器３１００に収納された所定の物品の物理的な特徴量と、検出部３１２０によって検出された結果とに基づいて、表示部３１１０の表示を制御する場合には、以下のような処理をする。まず、制御部３１５０は、検出部３１２０が検出した物理的な特徴量として、収納容器３１００に収納された所定の物品の有無、大きさ、重量、色などの特徴量のうち、少なくとも何れかの物理的な特徴量の検出結果に応じて表示部３１１０に検出結果を示す画像を表示させる。また、制御部３１５０は、検出部３１２０が検出した物理的な特徴のうち、複数の物理的な特徴の検出結果を組み合わせて判定して、判定結果に応じて表示部３１１０に検出結果を示す画像を表示させてもよい。
次に、例えば、図２１に示すように、制御部３１５０は、容器蓋部３９２０の開閉状態に応じて表示部３１１０の表示を制御する。例えば、制御部３１５０は、容器蓋部３９２０の開閉によって画像の天地が反転するのを避けて、容器蓋部３９２０に表示する画像の天地を反転させる。なお、図２１は、本実施形態における収納容器の表示方法の一例を示す図である。
【０１５４】
表示部３１１０に表示する情報は、収納容器３１００に収納される所定の物品に直接関係する情報であってもよく、又は、収納容器３１００に収納される所定の物品に直接関係しない情報であってもよい。
【０１５５】
例えば、収納容器３１００に収納される所定の物品に直接関係する情報を表示部３１１０に表示する場合の情報について例示する。表示部３１１０に表示する情報には、例えば、収納容器３１００に収納される所定の物品の画像、同物品の情報、同物品を配置する位置を示す画像（情報）、同物品を配置する位置を示す画像（情報）などが挙げられる。
また、所定の物品を配置する位置を示す画像（情報）として、収納容器３１００に物品を配置する領域を分割する間仕切りを示す画像が挙げられる。
なお、間仕切りを示す画像は、実際に収納容器３１００に設けられた物理的な間仕切りと別の位置に表示してもよい。その場合、物理的な間仕切りの配置と独立して、画像による間仕切りを表示することができる。
一方、間仕切りを示す画像は、実際に収納容器３１００に設けられた物理的な間仕切りの位置に応じた位置に表示してもよい。その場合、物理的な間仕切りの配置に合わせて、特定の仕切られた領域と、他の領域とにおいて、それぞれ異なる画像を表示させてもよい。これにより物理的な間仕切りだけでは示しきれない情報を表示することができ、物品を何れの位置に収納すべきかが容易に確認できるようになる。
【０１５６】
また、例えば、収納容器３１００に収納される所定の物品に直接関係しない情報を表示部３１１０に表示する場合の情報について例示する。表示部３１１０に表示する情報には、例えば、収納容器３１００に収納される所定の物品の有無を示す画像（情報）、同物品のイメージを示す画像（情報）、同物品の残量を示す画像（情報）、収納容器３１００の内部の状況を示す画像（情報）、収納容器３１００の状況を示す画像（情報）、収納容器３１００の開閉の履歴を示す画像（情報）、容器蓋部３９２０の開閉を制限するカギの施錠状態を示す画像（情報）などが挙げられる。
なお、所定の物品に直接関係しない情報を、表示部３１１０に表示する画像の色、色の濃度、明るさ、切り替える期間の長さ、画像に示す像の表示部３１１０上の移動速度などの差によって示してもよい。
例えば、収納容器３１００に収納される所定の物品の有無を示す画像（情報）を、物品がある場合を暖色系の色で示し、物品がない場合を寒色系の色で示してもよい。
例えば、収納容器３１００に収納される所定の物品の残量を示す画像（情報）を、物品の残量が比較的多い場合を明るく表示して、物品の残量が少なくなるにつれて徐々に暗くなるように、物品の残量に応じて表示してもよい。
【０１５７】
表示部３１１１と表示部３１１２に表示する情報は、同種の情報であってよく、互いに異なる情報であってもよい。
例えば、特定の物品が収納容器に収納されることが定められている場合、その物品を収納容器内に配置する位置が定められる場合がある。このような場合、第１表示部の表示には、物品を配置する位置や、位置を示すガイド（説明）を表示させて、第２表示部の表示には、物品の収納状態（有無）や、収納する物品を示す情報を表示する。
なお、表示部３１１１と表示部３１１２とにおける表示には、複数の情報をそれぞれ表示してもよい。複数の情報を表示する場合には、制御部３１５０は、空間的な領域を分割して表示するほかに、切り替えて表示したり、色と明るさを組み合わせて表示したりするなど、用途に応じて設定することができる。
【０１５８】
なお、容器蓋部３９２０は、容器本体部３９１０に設けたヒンジ（不図示）にて回転自在に支持される構造に構成されていてもよく、容器本体部３９１０から着脱できる構造に構成されていてもよい。
【０１５９】
なお、制御部３１５０は、容器蓋部３９２０の状態に基づいて、表示部３１１０に表示する情報を設定してもよい。
容器蓋部３９２０の状態として検出される状態には、収納容器３１００の蓋を開いた状態と、収納容器３１００の蓋を閉じた状態とが含まれる。
さらに、容器蓋部３９２０が容器本体部３９１０にヒンジにて支持されている場合には、容器蓋部３９２０の傾きに応じた状態、つまり、容器蓋部３９２０と容器本体部３９１０の開口部とが成す角度に応じた状態が、検出される状態として含まれる。
さらに、収納容器３１００の蓋を開いた状態にあるとき容器本体部３９１０から着脱される構造の場合の容器蓋部３９２０の状態には、容器蓋部３９２０によって容器本体部３９１０の蓋を閉じた状態における容器蓋部３９２０と容器本体部３９１０との方向に応じた状態が含まれる。
【０１６０】
なお、表示部３１１０は、表示部３１１１と表示部３１１２とを備えるものとしたが、表示部３１１１と表示部３１１２とのうち少なくとも何れかを備えるものであってもよい。要するに、収納容器３１００の外側と内側との間に、表示部３１１１と表示部３１１２とのうち少なくとも何れかを配置してもよい。
【０１６１】
なお、表示部３１１１は、収納容器３１００の内側の面に配置されるものとしたが、容器本体部３９１０と容器蓋部３９２０とのうち何れに配置されてもよく、容器本体部３９１０と容器蓋部３９２０とのそれぞれにおいて収納容器３１００の内側の面に配置されてもよい。
表示部３１１２は、収納容器３１００の外側の面に配置されるものとしたが、容器本体部３９１０と容器蓋部３９２０とのうち何れに配置されてもよく、容器本体部３９１０と容器蓋部３９２０とのそれぞれにおいて収納容器３１００の外側の面に配置されてもよい。
【０１６２】
なお、収納容器３１００は、表示部３１１１、３１１２に情報を書き込ませるための電力を発電する発電部を構成に含むものであってもよい。発電部は、例えば、太陽電池を含み、受けた光量から電力に変換する。或いは、発電部は、温度差を検出して温度差エネルギーを電力に変換する温度差発電部や、動きを検出して運動エネルギーを電力に変換する発電部などであってもよい。発電部を含む電源部は、発電部が発電した電力を、表示部３１１１、３１１２に情報を表示させる電力として供給する。また、電源部は、外部から供給されるエネルギーを電力に変換し、表示部４１１０に情報を表示させる電力として供給するものであるが、供給されるエネルギーは適宜選択できる。例えば、電源部は、ワイヤレス給電により供給される無線電力から変換して、変換した電力を表示部４１１０に供給してもよい。
【０１６３】
［第４実施形態］
以下、本発明の一実施形態について、図面を参照して説明する。以下の説明において、同様の構成要素については、同じ符号を付してその説明を簡略化或いは省略することがある。
【０１６４】
最初に、本実施形態の説明に先立ち、本実施形態の飲料用容器に対応する技術的な背景を説明する。
例えば、飲料用容器の一種に、筒型の容器を備える「タンブラー」といわれるものがある。「タンブラー」の中には、筒型の容器の部分に模様が施されているものがある。その模様は、プリントなどで施されており、動的に変化しないものであった。
【０１６５】
（第４実施形態における一態様：飲料用容器）
【０１６６】
図２２を参照し、本実施形態における飲料用容器について説明する。
図２２は、本実施形態における飲料用容器の一態様を示す図である。図２２（ａ）は、飲料用容器の俯瞰図を示し、図２２（ｂ）は、飲料用容器の縦断面図を示す。この図２２に示される飲料用容器４１００は、容器本体部４９１０を備えており、容器本体部４９１０が略筒型状の容器を成す。例えば、本実施形態における容器本体部４９１０は、いわゆる「タンブラー」のように筒型の形状を成している。容器本体部４９１０は、少なくとも一部が内壁と外壁からなる二重構造を成している。本実施形態における容器本体部４９１０における内壁と外壁は、光を透過する材質、例えば樹脂材又はガラス材などで形成された部分を少なくとも一部に含むものである。容器本体部４９１０には表示部４１１０が設けられている。
【０１６７】
続いて、図２２（ｂ）を参照して、飲料用容器４１００について、より具体的な一例を挙げて説明する。この図２２（ｂ）に示される飲料用容器４１００は、表示部４１１０と、検出部４１２０と、記憶部４１３０と、インタフェース部４１４０と、制御部４１５０とを備える。
【０１６８】
表示部４１１０は、例えば、電子ペーパーを表示手段として有する。以下の説明において、表示部４１１０が有する電子ペーパーを、電気泳動型の表示装置（ＥＰＤ（ElectroPhoretic Display）４１１１、４１１２）を例にして説明する。なお、表示手段は、表示領域がメモリー性を有するものや、不揮発性の情報として保持するものであってもよい。このようなＥＰＤ４１１１、４１１２は、表示領域に情報が書き込まれる期間に電力を消費するが、表示領域に保持した情報を表示した状態を維持する期間には電力の消費を不要とする。なお、ＥＰＤ４１１１が、内壁側に表示面を向けて配置され、ＥＰＤ４１１２が、外壁側に表示面を向けて配置されている。
なお、本実施形態における表示部４１１０は、容器本体部４９１０の内壁側と外壁側とのうち少なくとも何れかの側に情報を表示するように構成してもよい。
本実施形態における表示部４１１０は、二重構造を成した容器における内壁と外壁との間に設けられており、供給される情報を表示する。本実施形態における表示部４１１０の形状は、一例としては矩形状又は扇型状であるが、他の形状であってもよい。表示部４１１０は、容器本体部４９１０の形状に即して丸めた状態で内壁と外壁との間に配置される。
【０１６９】
検出部４１２０は、飲料用容器４１００の状態を検出する各種センサーを備え、それぞれ検出した情報を出力する。各種センサーの一例として、温度センサー、加速度センサー、ジャイロなどがある。
【０１７０】
記憶部４１３０は、制御部４１５０が行う処理に係る各種情報を記憶する。
【０１７１】
インタフェース（Ｉ／Ｆ）部４１４０は、自装置の外部から電力の供給を受けるとともに、供給を受けた電力を、自装置を機能させる電力として供給する。また、インタフェース（Ｉ／Ｆ）部４１４０は、自装置以外の他の装置と通信する通信処理を行う。インタフェース（Ｉ／Ｆ）部４１４０が行う通信は、有線通信であっても無線通信であってもよい。
【０１７２】
制御部４１５０は、容器本体部４９１０の外部から供給される、画像情報又は画像情報を示す情報（識別情報）に基づいて、表示部４１１０に表示させる情報（画像）を生成する。制御部４１５０は、生成した情報を表示部４１１０に供給して、表示部４１１０の表示を制御する。
【０１７３】
本実施形態における飲料用容器４１００には、好みの画像を容器に表示させることができる。飲料用容器は、表示部に表示する画像を変更することができる。これにより、ユーザは、表示した画像に飽きることなく、飲料用容器を利用できる。
このような制御部４１５０は、例えば、以下に示す処理を行う。
【０１７４】
（飲料用容器に注がれた液体の画像を表示する例）
続いて、飲料用容器４１００に注がれる液体を示す情報（画像）を飲料用容器４１００に表示する場合を例示して説明する。
例えば、制御部４１５０は、注がれる液体の種類や状態を示す情報が外部から供給されることにより、液体の色や温度などの特徴情報を取得する。例えば、飲料用容器４１００に飲料が注がれるときに、飲料用容器４１００は、注ぐ装置側から飲料に関する情報を受信する。制御部４１５０は、注がれる液体の種類を示す情報に基づいて液体の種類に応じた画像を生成して、生成した画像を表示部４１１０に表示させる。
【０１７５】
さらに、制御部４１５０は、検出された液量や飲料用容器４１００の傾きに応じて、液体を示す情報（画像）を生成してもよい。具体的な場合を例示すると、液面の位置が移動する画像を表示する場合や、液体を注がれて液量が増加しているときに、液体が注がれている状態を示す画像を表示する場合などがある。
上記の液量と飲料用容器４１００の傾きとは、例えば、以下に示す方法で検出できる。液量は、飲料用容器４１００の深さ方向に複数の温度センサー（検出部４１２０）を適宜設けておき、複数の温度センサーによって検出された温度に基づいて、液体が存在する深さか否かを判別することにより検出できる。また、飲料用容器４１００の傾きは、飲料用容器４１００の内壁を取り巻くように設けた複数の温度センサーによって検出された温度から、飲料用容器４１００に対する液面の傾きから相対的に検出できる。或は、飲料用容器４１００の傾きは、飲料用容器４１００に検出部４１２０として設けられた加速度センサーや、ジャイロなどから検出してもよい。
また、制御部４１５０は、飲料用容器４１００に注がれる液体を示す情報（画像）に、液量を示す目盛を併せて表示させてもよい。制御部４１５０が液体を示す情報（画像）を外部に向けて表示することにより、飲料用容器４１００を外から見ても液量を識別可能となる。
また、飲み物を何杯（もしくはどのくらいの量を）飲んだかという情報を飲料用容器４１００に表示してもよい。
例えば「何杯」という情報は、液量の増減情報から取得することができる。上記の説明のとおり、液量の増減情報は、複数の温度センサー（検出部４１２０）が検出した液量の変化から得ることができる。例えば、検出した液量が、予め定められた所定の量（第１液量閾値）より「多い」状態から、予め定められた所定の量（第２液量閾値）より「少ない」状態まで変化した場合に「１杯」とカウントする。第１液量閾値と第２液量閾値とを同じ値としてもよい。ただし、第１液量閾値を第２液量閾値より大きいな値とすることにより、液面が振動することによる誤判定を低減することができる。換言すれば、液量の増減情報が比較的「多い」状態から比較的「少ない」状態に変化し、比較的「少ない」状態を経た後に、再び比較的「多い」状態まで戻る場合を１周期とすれば、繰り返した周期の回数（カウント数）を杯数として検出することができる。
【０１７６】
（飲料用容器の傾きに応じて画像を表示する位置を調整する例）
続いて、図２３を参照して、飲料用容器４１００を利用している人（「利用者」という。）以外の人（「他の人」という。）に、飲料用容器４１００に表示された画像を見てもらいたい場合の表示方法について説明する。
図２３は、飲料用容器４１００における画像の表示方法を示す図である。
【０１７７】
本実施形態における表示方法の説明に先立ち、飲料用容器に固定的に画像を表示した場合の問題点を整理する。
飲料用容器に固定的に画像を表示した場合には、下記のような問題点が生じうる。
第１に、飲料用容器に表示された画像は、飲料用容器の形状に沿って状態されている。飲料用容器の形状が円筒状であるならば、画像を平面に表示する場合と異なり、表示される画像の概ね半分の領域しか同時に確認することができない。
第２に、利用者が飲料量容器の飲み口から飲んでいる場合には、飲料量容器の飲み口の方向は、利用者に向けられている。そのため、飲み口側の半面に表示されている画像は、他の人から見えにくい位置になる（図２３（ａ）参照）。
【０１７８】
そこで、上記の問題に対し、本実施形態における飲料用容器４１００においては、他の人から見やすい位置を表示部４１１０上に定め、定めた位置に他の人に伝えたい情報を表示するように、表示部４１１０における画像を表示する位置を調整する。具体的な一例として、制御部４１５０は、表示部４１１０に表示する画像のうち所望の部分が飲料用容器４１００に対する特定の方向に向いて表示されるように、飲料用容器４１００の傾き（θ）に応じて表示部４１１０における画像を表示する位置を調整する（図２３（ｂ）参照）。
【０１７９】
上記の飲料用容器４１００に対する特定の方向は、検出された飲料用容器４１００の傾きから検出される飲み口の方向を基準に、飲料用容器４１００に対して対向する方向としてもよい。飲料用容器４１００の傾きは、上述の方法により検出できる。或は、飲み口の方向が予め定められる構造を有する飲料用容器４１００であれば、飲み口の方向を予め特定してもよい（図２３（ｃ）参照）。
【０１８０】
このように、飲み口の方向を識別して、飲み口の方向に応じて表示する情報の位置を調整することにより、制御部４１５０は、飲み口の方向と対向する方向を正面方向と認識して、正面方向から認識しやすく表示部４１１０に表示させるように制御する。
以上に示すように、制御部４１５０は、他の人から見やすい位置と識別した位置に所望の画像を表示する。これにより、飲料用容器４１００に表示された画像のうち見てもらいたい画像が、他の人の方に向けて表示される。
【０１８１】
（飲料用容器に表示する画像を切り替えて表示する例）
続いて、飲料用容器４１００に表示する画像を切り替えて表示する場合について説明する。
制御部４１５０は、表示する画像の切り替えを、飲料用容器４１００における所定の回転軸を基準とする回転量、傾き量、顔の接近、注がれた飲料の種類、注がれた液体の温度差などに応じて実施してもよい。また、上記のように検出した情報に応じて、次の表示をしてもよい。
【０１８２】
例えば、液温を表示する場合、検出した温度に応じた表示を、表示部４１１０に表示する画像の色、色の濃度、明るさ、切り替える期間の長さ、画像に示す像の表示部４１１０上の移動速度などの差によって示してもよい。
また、例えば、飲料用容器４１００の利用者を示す表示（顔写真、名前、識別情報、所属する組織の名称など）を行ってもよい。
表示部４１１０に表示する画像は、表示部４１１０全体を纏めて変更してもよく、選択された一部の範囲を変更してもよい。
また、制御部４１５０は、表示部４１１０に表示させる情報の変更（更新）を制限して、表示部４１１０における表示が変更されないように、所定の条件に応じて制限（ロック）してもよい。所定の条件とは、例えば、本体部に蓋が具備されており、蓋の開閉状態に応じてロック状態とするなどである。例えば、蓋が閉じていないときはロック状態としたり、或いは、蓋が閉じているときにロック状態としたりすることができる。他にも、所定の条件として、コーヒーショップなどの店舗で飲み物を補給しているときや、パーティ会場においてパーティの開催中なども想定される。要するに、自分の手元から本装置が離れる状態を検出するための条件を、所定の条件として定める。これにより自分の手元から本装置が離れているときに、絵柄が変わってしまって、自分の物と区別できなくなることを防止できる。
【０１８３】
（飲料用容器の形状に応じた画像を生成する例）
続いて、図２４を参照し、飲料用容器４１００の形状に応じた画像を生成する場合の一例について説明する。
図２４は、飲料用容器の形状に応じた画像の生成を示す図である。図２４（ａ）は、飲料用容器の形状に即した形状を有する表示部４１１０を示す。
一般に飲料用容器には、様々な形状を有するものがある。それに対し、適用可能な表示部の形状は、飲料用容器の形状に比べ種類が少ない。そのため、飲料用容器に適用させた表示部４１１０の形状が飲料用容器４１００の形状に一致せずに一部が重なってしまう場合がある。また、表示部は、固定の形状（例えば扇型）であり、固定の形状（例えば扇型）の表示部が丸められて、飲料用容器４１００の内壁と外壁との間に配置される。表示部の丸め方によって、表示の一部が重なってしまうことや、重なる位置が異なることがある（図２４（ｂ）、（ｃ）参照）。
本実施形態の制御部４１５０においては、上記のように表示部４１１０の形状が飲料用容器の形状に一致せずに一部が重なってしまう場合であっても、表示部４１１０が重なって表示する画像が隠れてしまうなど、表示が乱れる部分を補正して表示する。
【０１８４】
飲料用容器４１００の制御部４１５０は、飲料用容器４１００の形状と、適用する表示部４１１０の形状とによって定まる表示部４１１０の重なる量の情報を、参照可能な記憶領域に保持している。
基の画像の形状が矩形である場合には、飲料用容器４１００の制御部４１５０は、飲料用容器４１００の自らの形状と、適用する表示部４１１０の形状とに応じて、基の画像を適した形状に変換する。
一方で、基の画像が略扇型等の画像である場合には、飲料用容器４１００の制御部４１５０は、飲料用容器４１００の自らの形状（形状情報）と、適用する表示部４１１０の形状（形状情報）とに応じて、表示に適した形状になるように変換する。
さらに、飲料用容器４１００の制御部４１５０は、飲料用容器４１００の自らの形状と、適用する表示部４１１０の形状とによって定まる表示部４１１０の重なる量の情報を、参照可能な記憶領域に保持している。表示部４１１０の重なる量の情報に基づいて、表示部４１１０に表示させる画像を補正する。例えば、重なっている部分については、画像を表示しないように補正する。
また重なり具合を検出する第１の方法として、表示部４１１０の形状や大きさ（サイズ）の情報、或いは、表示部４１１０の形状や大きさ（サイズ）を特定できる表示部４１１０の種類を示す情報に基づいて検出する方法がある。制御部４１５０は、表示部４１１０の形状情報（形状、大きさ、種類などの情報）を取得して、重なる部分の位置と範囲を推定し、推定した情報から重なり具合を検出する。制御部４１５０は、表示部４１１０の形状情報を、表示部４１１０から取得してもよく、又は、インタフェース（Ｉ／Ｆ）部４１４０を介して外部の装置から取得してもよい。この第１の方法の場合、制御部４１５０が表示部４１１０の形状情報を取得するタイミングは、表示部４１１０を装着する前であっても、装着した後であってもよく、装着状態にあるか否かによる制限はなく任意のタイミングに行うことができる。
【０１８５】
また重なり具合を検出する第２の方法として、表示部４１１０を装着した状態で検出する方法がある。外部の装置からの制御などに応じて、制御部４１５０は、表示部４１１０に重なり状態を検出するためのテストパターンを表示させる。このテストパターンは、表示部４１１０が重なっている位置や範囲だけでなく、表示部４１１０の何れの端部が上になっているかを検出できるような規則性がある模様を示すものとする。テストパターンを表示した状態で、撮像機能を備える外部の装置によって飲料用容器４１００を撮像して画像情報を得る。表示部４１１０の画像情報から表示部４１１０が重なっている部分を含む画像情報を抽出し、抽出した画像情報に基づいて重なり具合を検出する。表示部４１１０の画像情報から表示部４１１０の重なり具合を検出する処理は、外部の装置が実行して、検出結果を制御部４１５０に通知してもよい。或いは、表示部４１１０の画像情報から表示部４１１０の重なり具合を検出する処理は、表示部４１１０の画像情報を取得した制御部４１５０が実行してもよい。この第２の方法は、撮像機能を備える外部の装置を必要とするが、表示部４１１０の何れの端部が上になっているかまでも検出できるという効果を奏する。
【０１８６】
（第４実施形態における一態様：飲料用容器を利用する情報交換）
図２５を参照し、本実施形態における飲料用容器４１００における情報交換方法について説明する。
図２５は、本実施形態における飲料用容器４１００における情報交換方法を示す図である。
飲料用容器４１００に表示する情報は、利用者の操作で書き換えることができる。例えば、飲料用容器４１００を利用して、「乾杯」の動作を利用者同士がとることにより、飲料用容器４１００同士が接近した後、飲料用容器４１００同士が急に離れる。その際、それぞれの飲料用容器４１００が移動する移動方向が変化する。このような動作が行われたことを飲料用容器４１００がそれぞれ検出することにより、表示する画像の情報を一方から他方に送ったり、交換したりすることができる。以下の説明において、利用者Ａが利用する飲料用容器４１００と、その表示部４１１０を、飲料用容器４１００Ａ、表示部４１１０Ａとして示し、利用者Ｂが利用する飲料用容器４１００と、その表示部４１１０を、飲料用容器４１００Ｂ、表示部４１１０Ｂとして示す。
【０１８７】
図２６を参照し、本実施形態における具体的な処理の手順を以下に説明する。
図２６は、本実施形態における具体的な処理の一例を示すフローチャートである。
（手順１）飲料用容器４１００Ａの制御部４１５０Ａは、飲料用容器４１００Ａに近接する飲料用容器４１００Ｂを検出する（ステップＳａ４１０）。
（手順２）飲料用容器４１００Ｂの制御部４１５０Ｂは、飲料用容器４１００Ｂに近接する飲料用容器４１００Ａを検出する（ステップＳｂ４１０）。
（手順３）飲料用容器４１００Ａの制御部４１５０Ａは、検出した飲料用容器４１００Ｂに表示させる情報を、検出した飲料用容器４１００Ｂに対して送る（ステップＳａ４２０）。
（手順４）飲料用容器４１００Ｂの制御部４１５０Ａは、飲料用容器４１００Ａから情報を受けるとともに（ステップＳｂ４２０）、受けた情報に基づいて飲料用容器４１００Ｂの表示部４１１０Ｂに表示させる情報を生成し、表示させる（ステップＳｂ４３０）。
（手順５）飲料用容器４１００Ｂの制御部は、生成した飲料用容器４１００Ａに表示させる情報を、検出した飲料用容器４１００Ａに対して送る（ステップＳｂ４４０）。
（手順６）飲料用容器４１００Ａの制御部は、飲料用容器４１００Ａに自ら表示する情報を、検出した飲料用容器４１００Ｂから受けるとともに（ステップＳａ４４０）、飲料用容器４１００Ａの表示部４１１０Ａに表示させる情報を生成し、表示させる（ステップＳａ４５０）。
【０１８８】
なお、飲料用容器４１００は、表示部に情報を書き込ませるための電力を発電する発電部をＩ／Ｆ部４１４０の構成に含むものであってもよい。Ｉ／Ｆ部４１４０における発電部は、例えば、太陽電池を含み、受けた光量から電力に変換する。或いは、Ｉ／Ｆ部４１４０は、発電部として、温度差を検出して温度差エネルギーを電力に変換する温度差発電部や、動きを検出して運動エネルギーを電力に変換する発電部などを備えていてもよい。発電部を備えるＩ／Ｆ部４１４０は、発電部が発電した電力を、表示部４１１０に情報を表示させる電力として供給する。
また、Ｉ／Ｆ部４１４０は、供給されるエネルギーを電力に変換し、表示部４１１０に情報を表示させる電力として供給するものであるが、供給されるエネルギーは適宜選択できる。例えば、Ｉ／Ｆ部４１４０は、ワイヤレス給電により供給される無線電力から変換して、変換した電力を表示部４１１０に供給してもよい。
【０１８９】
なお、上述の第１から第４実施形態の要件は、発明の技術的な特徴に影響のない範囲で適宜変更することができる。また、一部の構成要素を用いない場合もある。
【０１９０】
なお、上記の実施形態における表示装置１１００等、２１００等、ベース部２３００等、収納容器３１００等、飲料用容器４１００等が備える各部は、専用のハードウェアにより実現されるものであってもよく、また、メモリー及びマイクロプロセッサにより実現させるものであってもよい。
【０１９１】
なお、この表示装置１１００等、２１００等、ベース部２３００等、収納容器３１００等、飲料用容器４１００等が備える各部は、メモリー及びＣＰＵ（演算処理装置）により構成され、表示装置１１００等、２１００等、ベース部２３００等、収納容器３１００等、飲料用容器４１００等が備える各部の機能を実現するためのプログラムをメモリーにロードして実行することによりその機能を実現させるものであってもよい。
【０１９２】
また、表示装置１１００等、２１００等、ベース部２３００等、収納容器３１００等、飲料用容器４１００等が備える各部の機能を実現するためのプログラムをコンピュータ読み取り可能な記録媒体に記録して、この記録媒体に記録されたプログラムをコンピュータシステムに読み取らせて、実行することにより各部による処理を行ってもよい。なお、ここでいう「コンピュータシステム」とは、ＯＳや周辺機器等のハードウェアを含むものとする。
【０１９３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【０１９４】
１１００  表示装置、１１１０  表示部、１１５０Ａ  制御部、
１５００  表示システム、１１１０  表示部、２１００  ケース（収納部）、
１１５０Ｂ  制御部、
２３００  ベース部（表示制御装置）、
２３２０  保持機構（保持部）、
２２４０  インタフェース部（供給部）、
１２５０Ａ  制御部、
３１００  収納容器、
３９１０  容器本体部、
３９２０  容器蓋部、
３１１０  表示部、
３１２１  検出部（第１検出部）、
３１２２  検出部（第２検出部）、
３１５０  制御部、
４１００  飲料用容器、４９１０  容器本体部、４１１０  表示部、４１５０  制御部
【図１】
2014038126.tif 000003
【図２】
2014038126.tif 000004
【図３】
2014038126.tif 000005
【図４】
2014038126.tif 000006
【図５】
2014038126.tif 000007
【図６】
2014038126.tif 000008
【図７】
2014038126.tif 000009
【図８】
2014038126.tif 000010
【図９】
2014038126.tif 000011
【図１０】
2014038126.tif 000012
【図１１】
2014038126.tif 000013
【図１２】
2014038126.tif 000014
【図１３】
2014038126.tif 000015
【図１４】
2014038126.tif 000016
【図１５】
2014038126.tif 000017
【図１６】
2014038126.tif 000018
【図１７】
2014038126.tif 000019
【図１８】
2014038126.tif 000020
【図１９】
2014038126.tif 000021
【図２０】
2014038126.tif 000022
【図２１】
2014038126.tif 000023
【図２２】
2014038126.tif 000024
【図２３】
2014038126.tif 000025
【図２４】
2014038126.tif 000026
【図２５】
2014038126.tif 000027
【図２６】
2014038126.tif 000028